(57)【要約】［課題］良好な受信感度を有するとともにアンテナが所定の電波を確実に受信できる無線機能付き時計を提供する。［解決手段］無線機能付き時計であって、外部からの電波を受信するためのアンテナと、アンテナを収容するハウジングと、ハウジングの内壁から時計ケースの内側に向かって平面方向に突出する、導電性の突出部と、前記導電性の突出部を上下方向に貫通して形成され、前記アンテナの受信特性を向上させるための開口部と、を備える。
2008018583.tif 000002
【特許請求の範囲】
【請求項１】
無線機能付き時計であって、
外部から電波を受信するためのアンテナと、
前記アンテナを収容するハウジングと、
前記ハウジングの内壁から、時計ケースの内側に向かって平面方向に突出する、導電性の突出部と、
前記導電性の突出部を上下方向に貫通して形成され、前記アンテナの受信特性を向上されるための開口部とを備えることを特徴とする無線機能付き時計。
【請求項２】
前記突出部が、見返し受け部であることを特徴とする請求項１に記載の無線機能付き時計。
【請求項３】
前記ハウジングの一部を構成する前記時計ケースと、
前記時計ケースの内周部から、前記時計ケースの内側に向かって平面方向に突出する、導電性の見返し受け部と、
前記見返し受け部の上方に載置される見返しリングと、
前記導電性の見返し受け部を上下方向に沿って貫通する前記開口部が設けられることを特徴とする請求項１または２に記載の無線機能付き時計。
【請求項４】
前記開口部が、前記アンテナの上方近傍に設けられていることを特徴とする請求項１から３のいずれかに記載の無線機能付き時計。
【請求項５】
前記開口部が、前記アンテナの少なくとも一方の開放端部に対向して、前記開放端部の上方近傍に設けられていることを特徴とする請求項４に記載の無線機能付き時計。
【請求項６】
前記開口部が、前記アンテナにおける両側の開放端部に対向して、それぞれの前記開放端部の上方近傍に設けられていることを特徴とする請求項４に記載の無線機能付き時計。
【請求項７】
前記見返しリングに、前記見返しリングを上下方向に貫通して形成され、前記アンテナの受信特性を向上させるためのスリットを備え、
前記開口部と前記スリットとが少なくとも部分的に上下に重なって配置されることを特徴とする請求項３から６のいずれかに記載の無線機能付き時計。
【請求項８】
前記見返しリングに形成された前記スリットは、前記見返しリングを周方向に完全に分断して構成されていることを特徴とする請求項７に記載の無線機能付き時計。
【請求項９】
前記見返しリングに形成された前記スリットは、前記アンテナの両開放端部間の距離に対応する長さだけ離間して形成された２つの孔から構成されていることを特徴とする請求項７に記載の無線機能付き時計。
【請求項１０】
前記スリットが、前記アンテナの上方近傍に設けられていることを特徴とする請求項７に記載の無線機能付き時計。
【請求項１１】
前記スリットが、前記アンテナの少なくとも一方の開放端部に対向して、前記開放端部の上方近傍に設けられていることを特徴とする請求項７に記載の無線機能付き時計。
【請求項１２】
前記スリット内に、金属外観を呈する絶縁部材が介在されていることを特徴とする請求項７から１１のいずれかに記載の無線機能付き時計。
【請求項１３】
前記開口部内に、絶縁部材が介在されていることを特徴とする請求項７，１０，１１のいずれかに記載の無線機能付き時計。
【請求項１４】
前記絶縁部材が、非導電性の合成樹脂であることを特徴とする請求項１２または１３に記載の無線機能付き時計。
【請求項１５】
前記スリット内に介在された前記絶縁部材の視認面の色調が、前記見返しリングの外面の色調と同色色調であることを特徴とする請求項１２または１４に記載の無線機能付き時計。
【請求項１６】
前記スリット内に介在された前記絶縁部材の視認面の色調が、前記見返しリングの視認面の色調と異色色調であることを特徴とする請求項１２または１４に記載の無線機能付き時計。
【請求項１７】
前記スリット内に介在された前記絶縁部材に、時計の機能表示を示す指標が備えられていることを特徴とする請求項１２，１４，１５，１６のいずれかに記載の無線機能付き時計。
【請求項１８】
少なくとも一部が導電性の見返しリングと、少なくとも一部が導電性の時計ケースとの間に、絶縁領域を備えることを特徴とする請求項３から１７のいずれかに記載の無線機能付き時計。
【請求項１９】
前記絶縁領域が、前記見返しリングと前記時計ケースとの間に配置された絶縁部材から構成されていることを特徴とする請求項１８に記載の無線機能付き時計。
【請求項２０】
前記絶縁部材が、前記見返しリングと前記時計ケースとの間の境界面の少なくともいずれか一方に貼着されていることを特徴とする請求項１９に記載の無線機能付き時計。
【請求項２１】
前記絶縁領域が、前記見返しリングと前記時計ケースとの間の境界面の少なくともいずれか一方に形成された絶縁被膜から構成されていることを特徴とする請求項１８から２０のいずれかに記載の無線機能付き時計。
【請求項２２】
前記絶縁被膜が、前記見返しリングの全面に形成されていることを特徴とする請求項２１に記載の無線機能付き時計。
【請求項２３】
前記時計ケースにベゼルが設けられているとともに、
少なくとも一部が導電性の見返しリングと、少なくとも一部が導電性のベゼルとの間に絶縁領域を備えることを特徴とする請求項３から２２のいずれかに記載の無線機能付き時計。
【請求項２４】
前記絶縁領域が、前記見返しリングと前記ベゼルとの間に配置された絶縁部材から構成されていることを特徴とする請求項２３に記載の無線機能付き時計。
【請求項２５】
前記絶縁部材が、前記見返しリングと前記ベゼルとの間の境界面の少なくともいずれか一方に貼着されていることを特徴とする請求項２４に記載の無線機能付き時計。
【請求項２６】
前記絶縁領域が、前記見返しリングと前記ベゼルとの間の境界面の少なくともいずれか一方に形成された絶縁被膜から構成されていることを特徴とする請求項２３から２５のいずれかに記載の無線機能付き時計。
【請求項２７】
前記絶縁被膜が、前記ベゼルの全面に形成されていることを特徴とする請求項２６に記載の無線機能付き時計。
【請求項２８】
少なくとも一部が導電性のベゼルと、少なくとも一部が導電性の時計ケースとの間に絶縁領域を備えることを特徴とする請求項２３から２７のいずれかに記載の無線機能付き時計。
【請求項２９】
前記絶縁領域が、前記ベゼルと前記時計ケースとの間に配置された絶縁部材から構成されていることを特徴とする請求項２８に記載の無線機能付き時計。
【請求項３０】
前記絶縁部材が、前記ベゼルと前記時計ケースとの間の境界面の少なくともいずれか一方に貼着されていることを特徴とする請求項２９に記載の無線機能付き時計。
【請求項３１】
前記絶縁領域が、前記ベゼルと前記時計ケースとの間の境界面の少なくともいずれか一方に形成された絶縁被膜から構成されていることを特徴とする請求項２８から３０のいずれかに記載の無線機能付き時計。
【請求項３２】
前記絶縁領域が、アンテナの上方近傍に配置されていることを特徴とする請求項２３から３１のいずれかに記載の無線機能付き時計。
【請求項３３】
前記絶縁領域が、アンテナの少なくとも一方の開放端部に対向して、アンテナの上方近傍に配置された絶縁領域から構成されていることを特徴とする請求項３２に記載の無線機能付き時計。
【請求項３４】
前記絶縁領域が、アンテナの両側の開放端部に対向して、アンテナの上方近傍に配置された２つの絶縁領域から構成されていることを特徴とする請求項３２に記載の無線機能付き時計。
【請求項３５】
ハウジングの一部を構成する前記時計ケースと、
前記時計ケースの上面に配置されたベゼルと、
前記ベゼルから前記時計ケースの内側に向かって平面方向に沿って突出する、導電性の見返し受け部と、
前記見返し受け部の上方に載置される見返しリングと、
前記見返し受け部を上下方向に沿って貫通する前記開口部が設けられることを特徴とする請求項１または２に記載の無線機能付き時計。
【請求項３６】
前記開口部が、前記アンテナの上方近傍に設けられていることを特徴とする請求項３５に記載の無線機能付き時計。
【請求項３７】
前記開口部が、前記アンテナの少なくとも一方の開放端部に対向して、前記開放端部の上方近傍に設けられていることを特徴とする請求項３６に記載の無線機能付き時計。
【請求項３８】
前記開口部が、前記アンテナにおける両側の開放端部に対向して、それぞれの前記開放端部の上方近傍に設けられていることを特徴とする請求項３６に記載の無線機能付き時計。
【請求項３９】
少なくとも一部が導電性の見返しリングと、少なくとも一部が導電性のベゼルとの間に絶縁領域を備えることを特徴とする請求項３５から３８のいずれかに記載の無線機能付き時計。
【請求項４０】
前記絶縁領域が、前記見返しリングと前記ベゼルとの間に配置された絶縁部材から構成されていることを特徴とする請求項３９に記載の無線機能付き時計。
【請求項４１】
前記絶縁部材が、前記見返しリングと前記ベゼルとの間の境界面の少なくともいずれか一方に貼着されていることを特徴とする請求項４０に記載の無線機能付き時計。
【請求項４２】
前記絶縁領域が、前記見返しリングと前記ベゼルとの間の境界面の少なくともいずれか一方に形成された絶縁被膜から構成されていることを特徴とする請求項３９から４１のいずれかに記載の無線機能付き時計。
【請求項４３】
前記絶縁被膜が、前記見返しリングの全面に形成されていることを特徴とする請求項４２に記載の無線機能付き時計。
【請求項４４】
少なくとも一部が導電性のベゼルと、少なくとも一部が導電性の時計ケースとの間に絶縁領域を備えることを特徴とする請求項３５から４３のいずれかに記載の無線機能付き時計。
【請求項４５】
前記絶縁領域が、前記ベゼルと前記時計ケースとの間に配置された絶縁部材から構成されていることを特徴とする請求項４４に記載の無線機能付き時計。
【請求項４６】
前記絶縁部材が、前記ベゼルと前記時計ケースとの間の境界面の少なくともいずれか一方に貼着されていることを特徴とする請求項４５に記載の無線機能付き時計。
【請求項４７】
前記絶縁領域が、前記ベゼルと前記時計ケースとの間の境界面の少なくともいずれか一方に形成された絶縁被膜から構成されていることを特徴とする請求項４４から４６のいずれかに記載の無線機能付き時計。
【請求項４８】
前記絶縁被膜が、前記ベゼルの全面に形成されていることを特徴とする請求項４７に記載の無線機能付き時計。
【請求項４９】
前記絶縁領域が、アンテナの上方近傍に配置されていることを特徴とする請求項４４から４８のいずれかに記載の無線機能付き時計。
【請求項５０】
前記絶縁領域が、アンテナの少なくとも一方の開放端部に対向して、アンテナの上方近傍に配置された絶縁領域から構成されていることを特徴とする請求項４９に記載の無線機能付き時計。
【請求項５１】
前記絶縁領域が、アンテナの両側の開放端部に対向して、アンテナの上方近傍に配置された２つの絶縁領域から構成されていることを特徴とする請求項４９に記載の無線機能付き時計。
【発明の詳細な説明】
【技術分野】
【０００１】
本発明は、無線機能付き時計、特に、外部からの所定の電波を受信するアンテナがハウジング内に収容された無線機能付き時計に関する。
【背景技術】
【０００２】
従来より、パソコン通信機能、携帯電話機能、非接触式ＩＣカード機能などの無線機能を備える無線機能付き時計が知られている。このような無線機能付き時計として、時刻上方を含む長波標準電波（搬送波）を受信し、その時刻情報に基づいて時刻を修正する電波時計もまた広く知られている。【０００３】
これらの無線機能付き時計は、他の通信機器と同様に、所定の電波を受信するためのアンテナを備える必要がある。【０００４】
このため、電波を受信する機能、すなわち受信感度からすれば電波を受信するアンテナを収納する筐体であるハウジングを、合成樹脂などの非導電性の素材から構成することが考えられる。【０００５】
しかしながら、これら無線機能付き時計は、時計であるがために他の通信機器と異なり、装飾品あるいは装身具としての美観や高級観が求められる。【０００６】
このため、電波を受信するアンテナを収納するハウジングに、合成樹脂などの非導電性の素材ではなく導電性の素材、すなわち金属製の素材を採用することが求められる。これは、合成樹脂などからなるハウジングが、その質感、色調、あるいは軽量さから安価な外観と装着感とを使用者に与えるためである。この金属製のハウジングに対する要求は、ユーザーに携帯される装身具としての腕時計において、特に著しいものである。【０００７】
しかしながら、このような無線機能付き時計は、外装ケースおよび裏蓋を金属で形成した場合、文字板も金属で形成してしまうと、アンテナは完全に金属部材で遮蔽した閉空間に収納される構造となってしまうため、アンテナに到達する電波が、これらの金属部材で減衰してしまうこととなり、その結果、無線機能付き時計として必要充分な受信感度を得られないという問題があった。【０００８】
即ち、図４９に示したように、無線機能付き時計１００は、アンテナ１０２に電波１０４が入射すると、アンテナ巻芯部１０６を電波１０４が透過することにより、アンテナ１０２の周囲に磁界が発生し、アンテナコイル部１０８に電流が生じることとなるが、アンテナ１０２の付近に磁気を透過し易い大型の金属部材が配設されていると、アンテナ１０２を中心として発生した磁界の一部が、近傍の金属部材の方に吸収されてしまい、結果としてアンテナ１０２の共振が妨げられるために、必要充分な受信感度を得られないという問題があった。【０００９】
このため、特許文献１では、アンテナ１０２を収納する閉空間１１０の一つの面を形成する文字板１１２、および文字板１１２と時計ムーブメント１１４の間に挟持されている太陽電池１１６を、電波を透過し易い非金属材質で形成した無線機能付き時計１００が開示されている。なお、図４９において、符号１１８は減衰する電波、符号１２０はガラス、符号１２２はベゼル、符号１２４は外装ケース、符号１２６は裏蓋である。【００１０】
このような無線機能付き時計１００によれば、金属外装を使用した場合でも必要充分な受信感度を確保することができる。【００１１】
また、特許文献２では、図５０に示したように、電波を受信するループアンテナ２０２と、側面を有しループアンテナ２０２のループ開口面２０４、２０４が側面と対向するようにループアンテナ２０２を収納する非導電体材からなる第１の時計ケース２０６と、第１の時計ケース２０６の外側に覆うように装着され、ループアンテナ２０２のループ開口面２０４、２０４と対向する箇所のうち、少なくとも１箇所に開口部２０８が形成された金属材からなる第２の時計ケース２１０と、を具備する無線機能付き腕時計２００が開示されている。なお、図５０において、符号２１２は文字板、符号２１４は裏蓋である。【００１２】
このような無線機能付き腕時計２００は、第２の時計ケース２１０におけるループアンテナ２０２のループ開口面２０４、２０４に対向する箇所に各々に開口部２０８、２０８を形成し、長波標準電波が各開口部２０８、２０８からループアンテナ２０２のループ開口面２０４、２０４に到達する構成となっている。【００１３】
そして、ループアンテナ２０２のループ開口面２０４、２０４の各々に対向する箇所に開口部２０８、２０８が形成された第２の時計ケース２１０を用いる構成とすることで、第２の時計ケース２１０によって、ループ開口面２０４、２０４と対向する箇所を除く部分を導電体材である金属材によって、第１の時計ケース２０６を覆ったとしても、ループアンテナ２０２によって長波標準電波を受信することが出来るようになっている。【００１４】
なお、上記のループアンテナ２０２は、本願発明の実施例の一つとして用いられる、形状が棒状のバーアンテナと同等の形状を有するものである。【００１５】
また、時計ケースおよび裏蓋が金属から形成されている場合、外部から入射する電波は、主にガラス製の風防および非導電性の文字板を介して、アンテナに取り入られることとなる。【００１６】
しかしながら、時計としての美観および高級観を高めるために、文字板として金属製の文字板を用いることがある。この場合、文字板が金属製であるため、見栄えのよい文字板が低コストで実現されやすい一方、外部から入射する電波が、金属製の文字板によって遮蔽され、減衰してしまうこととなる。【００１７】
そのため、特許文献３の電波時計３００では、図５１，図５２に示したように、受信アンテナ３２６を、金属製文字板３２４に設けた開口部３３３に対向する位置に配置することによって、開口部３３３を介してケース３１４内に入った電波が受信アンテナ３２６によって確実に受信され、文字板３２４が金属製であるにもかかわらず、標準電波の受信感度の低下を最低限に抑えることが出来るようになっている。【００１８】
なお、上記のような無線機能付き時計では、時計ケース１２４，２１０が導電性の材質である場合、無線機能付き時計に電波が入射した際に、導電性の時計ケース１２４，２１０の環状壁の周方向に沿って渦電流が誘導電流として発生することとなる。【００１９】
このように渦電流が発生すると、この渦電流が外部からの電波を相殺してしまい、アンテナ１０６，２０２の受信感度が低下してしまう。【００２０】
このような現象を回避するために、特許文献４の無線機能付き時計４００においては、時計ケース４１４の環状壁に、時計ケース４１４を周方向に分断するスリット４３２を設けている。すなわち、図５３に示したように、時計ケース４１４は、スリット４３２によって、上下方向に完全に分断され、結果として略Ｃ型の枠体となっている。【００２１】
なお、図５３においては、図示されていないが、このスリット４３２内には、合成樹脂から成る絶縁部材が埋め込まれており、この絶縁部材によって防水性と強度が維持される。【００２２】
このように、時計ケース４１４の軸方向にスリット４３２が形成された電波時計４００では、アンテナ４２６が外部から電波を受信する際に、時計ケース４１４の環状壁の周方向に沿って渦電流が流れることがないので、金属製の時計ケース４１４を備えたハウジング４１２であっても、内部のアンテナ４２６が電波を受けることが可能となっている。
【特許文献１】特開２００４−３４０７００号公報
【特許文献２】特開２００３−１６１７８８号公報
【特許文献３】特開２００６−１８９３７９号公報
【特許文献４】特開２００２−３４１０５７号公報
【発明の開示】
【発明が解決しようとする課題】
【００２３】
しかしながら、特許文献１に記載の無線機能付き時計は、文字板と太陽電池とを非金属材料で形成して、受信感度を高めてはいるものの、受信時に電波時計が置かれている場所、またはその周囲の環境、さらには時計の姿勢などによっても、しばしばアンテナが受信できないことがあった。【００２４】
従って、特許文献１のように文字板と太陽電池とを非金属材料で形成した無線機能付き時計であっても、そのアンテナの受信感度は、いまだ十分な受信感度を得ているとは言い難いものであり、さらに受信感度が良好となった無線機能付き時計が求められている。【００２５】
また、特許文献２に記載の無線機能付き腕時計では、一番外側の第１の時計ケースに開口部を設けているため、内側の非導電体材からなる第２の時計ケースが開口部を介して見えてしまい美観が損なわれ、高級観が欠けてしまうこととなる。さらに、内側の第２の時計ケースが非導電体材からなるため、全ての外装部品を金属製としたい、いわゆるフルメタルの無線機能付き腕時計とすることはできないものである。【００２６】
また、時計ケースが二重構造であるため、径方向の厚みが厚くなり時計を必要以上に大きくしてしまうものである。【００２７】
さらに、無線機能付き腕時計の装着時には、開口部が肌に接触することとなるため、装着感が悪く、不快感を感じる場合が生ずるものである。【００２８】
また、特許文献３に記載の電波時計では、通常、アンテナはムーブメントの外周部に配置されるため、図５２に示したように、アンテナの上方には突出部や、図示しない見返しリングが存在することとなる。このため、文字板のアンテナに対向する位置に開口部を設けることは難しい。また、アンテナに対向する位置からずれて、文字板に開口部を設けたとしても、十分なアンテナの受信感度を得ることは出来ない。【００２９】
また、特許文献４に記載の無線機能付き時計では、時計ケース４１４のスリット４３２に合成樹脂からなる絶縁部材が埋め込まれているため、美観的に良好ではなく、高級感に欠けるという問題があった。また、全てを金属で形成した時計ケースの場合と比較すれば、絶縁部材を嵌め込んだ部分でどうしても強度が弱くなり、防水性、耐衝撃性、耐薬品性に劣ることにもなる。【００３０】
さらに、受信時に電波時計４００が置かれている場所によっては、あるいは電波時計４００の姿勢などによっては、アンテナ４２６が十分な電波を受信できないことがあった。【００３１】
このように、時計ケース４１４の環状壁に高さ方向のスリット４３２を形成した電波時計４００であっても、そのアンテナ４２６は、未だ十分な受信感度を得ているとは言い難かった。【００３２】
さらに、無線機能付き時計の中には、図５４に示した無線機能付き時計５００のように、時計ケース５１４内に見返しリング５３６を備えたものがある。【００３３】
この見返しリング５３６は、時計ケース５１４内におけるガラス製の風防５１８と文字板５２４との間に配置され、径内方側に向かってスタジアム状の傾斜面を備えたリング状の部材である。この見返しリング５３６の上面は、風防５１８の載置面とされ、上面から文字板５２４に向けて下方に延びる傾斜面は、時計の機能表示を示す指標が配置される指標面として機能している。【００３４】
この見返しリング５３６も時計ケース５１４の場合と同様に、装身具として美観や高級観を出すために、金属製であったり、あるいは合成樹脂部材の表面に、金属被膜をコーティングしたものなどが採用されている。【００３５】
具体的に、図５４に示した無線機能付き時計５００では、金属製で上下方向の両端部が開口して形成された略円筒形状の時計ケース５１４と、時計ケース５１４の下面開口部に防水パッキン５４７を介して密封するように装着された金属製の裏蓋５１６と、この時計ケース５１４の上面開口部に防水パッキン５４６を介して密封するように装着されるガラス製の風防５１８とを備えており、これによってハウジング５１２が構成されている。すなわち、この無線機能付き時計５００では、ハウジング５１２の風防５１８を除く有底筒形状の部分が、金属から構成されている。【００３６】
このような無線機能付き時計５００のハウジング５１２内には、時計駆動部を構成するムーブメント５２０と、ソーラーセル５２２と、透光機能を備えた文字板５２４とが収容されている。さらに、このムーブメント５２０の側部下方にアンテナ５２６が付設されている。【００３７】
このような構成の無線機能付き時計５００では、裏蓋５１６から内方に突出された中子部材５４８の係合突設部５５０が、時計ケース５１４の下端近傍の内周側に形成された係合用凹部５５２に係合されることによって、時計ケース５１４と裏蓋５１６とが一体化されている。また、中子部材５４８の先端部分には、環状で非導電体からなる支持枠５５４が配置されている。【００３８】
このように、無線機能付き時計５００では、時計ケース５１４の上部開口側において径内方側に形成されたフランジ形状の見返し受け部５３２と、中子部材５４８の上に配置された支持枠５５４とにより、ムーブメント５２０、ソーラーセル５２２、および文字板５２４が、位置決め固定されている。【００３９】
このように導電性の時計ケース５１４上に、同じく導電性の見返しリング５３６を配置した場合には、スリット５２２が形成されていたとしても見返しリング５３６を介して導通がなされてしまう。したがって、これではアンテナ５２６の受信感度を向上させることができない。【００４０】
本発明は、このような現状に鑑み、フルメタルであっても、良好な受信感度を有するとともに、アンテナが所定の電波を確実に受信できる無線機能付き時計を提供することを目的とする。【００４１】
また、アンテナを有しない（通常の）時計と同様の外観とすることができ、美観が良好で高級観を有し、強度的にも優れた無線機能付き時計を提供することを目的とする。【００４２】
さらに、装着時に装着感が良好な無線機能付き時計を提供することを目的とする。【００４３】
また、径方向の厚みを必要以上に大きくする必要のない無線機能付き時計を提供することを目的とする。
【課題を解決するための手段】
【００４４】
本発明は、前述したような従来技術における課題および目的を達成するために発明されたものであって、
本発明の無線機能付き時計は、
外部からの電波を受信するためのアンテナと、
アンテナを収容するハウジングと、
ハウジングの内壁から時計ケースの内側に向かって平面方向に突出する、導電性の突出部と、
前記導電性の突出部を上下方向に貫通して形成され、前記アンテナの受信特性を向上させるための開口部と、
を備えることを特徴とする。【００４５】
このように突出部に開口部を備えることによって、受信電波が通り易くなり、さらに導電性の突出部とアンテナとの距離を、開口部によって広げることで、導電性の突出部に遮られずに、開口部を通じてアンテナが感度良く電波を受信することができる。なお、このような開口部には、突出部を部分的に切り欠いた、切り欠きも含まれるものである。【００４６】
その顕著な効果は、後述する試験結果でも明らかであるが、次の作用によると考えられる。【００４７】
アンテナによる受信特性は、特に時計ケースと裏蓋が金属製の材質からなる場合に、アンテナの開放端部の直上に位置している導電性の突出部の影響を強く受ける。【００４８】
すなわち、アンテナが電波を受信する際に、アンテナの上方近傍に導電性の突出部が形成されていると、これがアンテナによる電波の受信を遮蔽してアンテナの受信特性を低下させる。【００４９】
しかしながら本発明では、ハウジングの内周部に形成された突出部に開口部が設けられているので、受信電波が通り易くなり、さらに導電性の突出部とアンテナは、受信感度良好となるだけの距離が確保されることとなる。このため、アンテナが受信する電波が導電性の突出部に遮られず、アンテナは開口部を通じて感度良く電波を受信することができる。【００５０】
これにより、アンテナの受信感度の低下が阻止されることになり、アンテナの受信感度が向上することになる。【００５１】
本発明において、導電性の突出部には素材自体が導電性であるもの、非導電性部材に導電性のコーティングがされたもの、少なくとも一部が導電性であるものが含まれる。【００５２】
また開口部は、外部から密閉されたハウジング内である突出部に設けられているため、ハウジング自体の防水性には何ら影響を及ぼさないものである。【００５３】
さらにハウジングは、時計ケースに突出部が形成されている場合には、導電性の時計ケースを使用し、時計ケース以外の部材は合成樹脂のような非導電性の部材が使用できる。【００５４】
ハウジング内に配置された導電性の突出部に開口部が設けられていれば、アンテナが受信する電波が導電性の突出部に遮られず、アンテナは開口部を通じて感度良く電波を受信することができる。【００５５】
また、時計ケースを構成する導電性の材料の具体例としては、金、銀、銅、黄銅、アルミニウム、マグネシウム、亜鉛、チタン、あるいはこれらの合金、ステンレススチール、タンタルカーバイドなどが挙げられる。【００５６】
なお、本発明において導電性の部材とは、「その部材の素材自体が導電性の部材であるもの」、または「その部材に導電性の被膜が被覆されたもの」を言う。後者の場合、部材の素材自体は、非導電性の素材であっても、導電性の素材であっても、または非導電性の素材と導電性の素材の組み合わせであってもよい。【００５７】
逆に非導電性の部材とは、「その部材の素材自体が非電性の部材であるもの」、または「その部材に非電性の被膜が被覆されたもの」を言う。後者の場合、部材の素材自体は、非導電性の素材であっても、導電性の素材であっても、または非導電性の素材と導電性の素材の組み合わせであってもよい。【００５８】
また、本発明の無線機能付き時計は、
前記突出部が、見返し受け部であることを特徴とする。【００５９】
このように、突出部が見返し受け部であれば、後述するように見返し受け部の上部に載置される見返しリングで開口部を覆うことができ、時計の携帯者に開口部を視認され難くすることができる。このため、時計の美観を損ねることがない。【００６０】
また、本発明の無線機能付き時計は、
前記ハウジングの一部を構成する前記時計ケースと、
前記時計ケースの内周部から、前記時計ケースの内側に向かって平面方向に突出する、導電性の見返し受け部と、
前記見返し受け部の上方に載置される見返しリングと、
前記導電性の見返し受け部を上下方向に沿って貫通する前記開口部が設けられることを特徴とする。【００６１】
このように構成すれば、見返し受け部の上部に載置される見返しリングで開口部を覆うことができ、時計の携帯者に開口部を視認され難くすることができる。このため、時計の美観を損ねることがない。【００６２】
また、本発明の無線機能付き時計は、
前記開口部が、前記アンテナの上方近傍に設けられていることを特徴とする。【００６３】
このように開口部を、アンテナの上方近傍に配置することによって、アンテナ上方には、電波の受信を妨げる導電性の突出部が存在しないので、アンテナの受信感度が向上することになる。【００６４】
また、本発明の無線機能付き時計は、
前記開口部が、前記アンテナの少なくとも一方の開放端部に対向して、前記開放端部の上方近傍に設けられていることを特徴とする。【００６５】
このように構成することによって、アンテナの少なくとも一方の開放端部に対向する部分には、開口部によって、電波の受信を妨げる導電性の突出部が存在しないので、この開口部を介して、電波がアンテナの一方の開放端部に受信され、アンテナの受信感度が向上することになる。【００６６】
また、本発明の無線機能付き時計は、
前記開口部が、前記アンテナにおける両側の開放端部に対向して、それぞれの前記開放端部の上方近傍に設けられていることを特徴とする。【００６７】
このように構成することによって、アンテナの開放両端部に対向する部分には、２つの開口部によって、電波の受信を妨げる導電性の環状部材が存在しないので、これらの開口部を介して、電波がアンテナの開放端部に受信され、アンテナの受信感度が向上することになる。【００６８】
また、本発明の無線機能付き時計は、
前記見返しリングに、前記見返しリングを上下方向に貫通して形成され、前記アンテナの受信特性を向上させるためのスリットを備え、
前記開口部と前記スリットとが少なくとも部分的に上下に重なって配置されることを特徴とする。【００６９】
このような構成によれば、開口部とスリットが少なくとも部分的に上下に重なることになるので、電波が、導電性の見返し受け部と導電性の見返しリングに遮られずに、これらの開口部を介してアンテナに電波が受信される。【００７０】
ここで、開口部とは切欠き、スリットなどの導電性の部材が存在しない空間部分であり、場合によっては、孔であっても良い。【００７１】
また、開口部とスリットが重なって配置されることにより、アンテナから導電性の見返し受け部と導電性の見返しリングまでの距離が長く確保されるので（金属部分までの距離が長く確保されるので）、アンテナの受信感度が改善される。【００７２】
また、本発明の無線機能付き時計は、
前記見返しリングに形成された前記スリットは、前記見返しリングを周方向に完全に分断して構成されていることを特徴とする。【００７３】
このように見返しリングが、周方向に完全に分断されていれば、見返しリングの周方向に渦電流が誘導電流として流れることがない。このため、アンテナの受信感度の低下が生じることはない。【００７４】
また、本発明の無線機能付き時計は、
前記見返しリングに形成された前記スリットは、前記アンテナの両開放端部間の距離に対応する長さだけ離間して形成された２つの孔から構成されていることを特徴とする。【００７５】
このように所定間隔離間した２つの孔によりスリットが構成されていれば、電波が通りやすくなり、孔の外周縁部を通って周方向に渦電流が流れることがあるとしても、アンテナがその部分を通る電波を受けることができる。【００７６】
また、本発明の無線機能付き時計は、
前記スリットが、前記アンテナの上方近傍に設けられていることを特徴とする。【００７７】
また、本発明の無線機能付き時計は、
前記スリットが、前記アンテナの少なくとも一方の開放端部に対向して、前記開放端部の上方近傍に設けられていることを特徴とする。【００７８】
このように開口部とスリットを、アンテナの上方近傍に配置することによって、アンテナの上方域におけるアンテナの受信感度が向上する。【００７９】
また、本発明の無線機能付き時計は、
前記スリット内に、金属外観を呈する絶縁部材が介在されていることを特徴とする。【００８０】
このような構成であれば、金属外観を呈する絶縁部材によって見返しリングのスリットが外部に視認されることはない。したがって、美観的にも良好である。また、絶縁部材は、外部から密閉されたハウジング内に配置されるため、絶縁部材が配置されようとも、ハウジング自体の耐衝撃性、耐磨耗性、耐薬品性は低下しない。さらに、見返しリングのスリット内に絶縁部材が配置されることから、見返しリングの強度が維持される。【００８１】
また、本発明の無線機能付き時計は、
前記開口部内に、絶縁部材が介在されていることを特徴とする。【００８２】
また、本発明の無線機能付き時計は、
前記絶縁部材が、非導電性の合成樹脂であることを特徴とする。【００８３】
このように絶縁部材を、開口部内に介在させることによって、金属ケースの強度を向上させることができる。また、このような絶縁部材を、非導電性の合成樹脂から形成することによって、開口部の大きさや形状に合わせて、絶縁部材を予め形成しておくことができるとともに、開口部に対する組付けが容易になる。【００８４】
また、本発明の無線機能付き時計は、
前記スリット内に介在された前記絶縁部材の視認面の色調が、前記見返しリングの外面の色調と同色色調であることを特徴とする。【００８５】
このように、スリット内の絶縁部材の視認面の色調を、見返しリングの外面の色調と同色色調となるように構成することによって、絶縁部材が視認されにくくなり、美観的に良好である。【００８６】
ここで、視認面とは、外面のうち、観察者に視認される領域を言う。【００８７】
またここで、同色色調とは、環状部材と絶縁部材との色調とが、共に同じ色調と認識され得る範囲内にあることを意味し、その色調の濃淡や明暗など、色調の外観上の風合いが完全に一致することに限定されない。たとえば、濃い金色、薄い金色、明るい金色、あるいは暗い金色は、ここではすべて金色の同色色調とされる。【００８８】
たとえば、環状部材が明るい金色色調であり、絶縁部材が暗い金色色調であろうとも、環状部材と絶縁部材の外面が金色の同色色調を呈すれば、絶縁部材が視認されにくくなり、環状部材の美観、時計自体の美観が向上する。【００８９】
見返しリングと絶縁部材の外面の色調とは、見返しリングと絶縁部材の素材そのものの色調であっても、見返しリングと絶縁部材に被覆された被膜の色調であってもよい。このような被膜としては、たとえば、塗装被膜、印刷被膜、あるいは乾式めっき被膜などが挙げられる。【００９０】
なお、見返しリングと絶縁部材における、視認面以外の外面が同色色調であってもよく、たとえば、環状部材と絶縁部材における外面すべてが同色色調であってもよい。【００９１】
特に、絶縁部材が、導電性素材より成る見返しリングと同じような金属外観を呈すれば、絶縁部材が視認されにくくなるばかりか、見返しリングに高級観が与えられる。【００９２】
導電性素材より成る見返しリングと同じような金属外観を得るために、たとえば、絶縁部材は、見返しリングと同色色調のメタリック塗装による塗装被膜に被覆されてもよい。このメタリック塗装被膜として、たとえば、メタリック顔料が混入された塗装被膜が採用される。【００９３】
たとえば、ステンレス色を得るためには、鉄、クロム、ニッケル、モリブデンなどを成分とするステンレス顔料が含有された塗装被膜が被覆される。【００９４】
また、たとえば、金色を得るためには、銅、亜鉛、鉄などを成分とするブロンズ顔料が含有された塗装被膜が被覆される。【００９５】
あるいは、たとえば、銀色を得るためには、アルミニウムを成分とするアルミニウム顔料、あるいはニッケルを成分とするニッケル顔料が含有された塗装被膜が被覆される。【００９６】
これら以外にも、パール顔料や、グラファイト顔料、フタロシャニンフレークなど、様々な顔料が採用されても良い。【００９７】
絶縁部材が塗装される工程は以下の通りである。【００９８】
まず、絶縁部材の外表面上に下地塗装被膜が被覆される。次いで、この下地塗装被膜の上にメタリック塗装被膜が被覆される。さらに、このメタリック塗装被膜の上に、透明、あるいは半透明な合成樹脂層であるクリアコートが被覆される。このクリアコートにより、メタリック塗装被膜に金属が含有されようとも、塗装された絶縁部材の最外表面は、非導電性を維持する。【００９９】
メタリック塗装被膜に限らず、このような塗装被膜の単層、あるいは積層の非導電性を確保するためには、クリアコートのような、絶縁性の上塗り塗装被膜が最外層として採用されることが好ましい。【０１００】
このような絶縁塗装被膜としては、たとえば、ポリウレタン樹脂塗料、樹脂を形成するポリマー分子中にフッ素が混入されたフッ素樹脂塗料、ポリ塩化ビニル樹脂を可塑剤に分散させた塩ビゾル塗料、オイルフリーポリエステル樹脂をシリコーン中間体により変性させたシリコーンポリエステル樹脂からなるシリコーンポリエステル樹脂塗料、あるいは、オイルフリーポリエステル樹脂、アクリル樹脂塗料、エポキシ樹脂塗料、シリコーンアクリル樹脂塗料、塩化ビニル樹脂塗料、ラッカー、フェノール樹脂塗料、塩化ゴム系塗料などが採用される。【０１０１】
また、本発明の無線機能付き時計は、
前記スリット内に介在された前記絶縁部材の視認面の色調が、前記見返しリングの視認面の色調と異色色調であることを特徴とする。【０１０２】
このように、見返しリングのスリット内に嵌めこまれる絶縁部材の視認面の色調を、この見返しリングの視認面の色調と異色色調となるように構成することによっても、美観上、または何らかの情報を時計の携帯者などの観察者に視認し易くすることができる。【０１０３】
ここで、絶縁部材と見返しリングとが異色色調であるとは、上記の同色色調と認められない色調の組み合せを言う。【０１０４】
また、本発明の無線機能付き時計は、
前記スリット内に介在された前記絶縁部材に、時計の機能表示を示す指標が備えられていることを特徴とする。【０１０５】
見返しリングが金属色調を呈するのであれば、たとえば絶縁部材は、赤、オレンジ、黄色などの目立つ色調を呈することができる。絶縁部材の外面の色調とは、絶縁部材の素材そのものの色調であっても、絶縁部材に被覆された被膜の色調であってもよい。この被膜としては、たとえば、塗装被膜、印刷被膜、あるいは乾式めっき被膜などが挙げられる。【０１０６】
また、本発明の無線機能付き時計は、
少なくとも一部が導電性の見返しリングと少なくとも一部が導電性の時計ケースとの間に、絶縁領域を備えることを特徴とする。【０１０７】
このように見返しリングと時計ケースとの間に、絶縁領域を備えることによって、アンテナが電波を受信する際に、少なくとも一部が導電性の見返しリングと時計ケースとの間に流れる誘導電流に起因する電波の遮蔽作用を抑制できるため、アンテナは開口部を通じて感度良く電波を受信することができる。【０１０８】
なお絶縁領域は、少なくとも時計ケースの導電性部分と見返しリングとの間に配置される。【０１０９】
このような絶縁領域を構成する絶縁部材としては、特に限定されるものではないが、例えば、合成樹脂、ゴム、または、セラミックなどの非導電性の絶縁部材を採用することができる。【０１１０】
また絶縁部材は、導電性の素材に、絶縁被膜が被覆されるか、または合成樹脂やゴムなどからなる絶縁シートが貼着された部材とすることも可能である。この場合、導電性の材料としては、見返しリングを構成する導電性の材料と同様に、金、銀、銅、黄銅、アルミニウム、マグネシウム、亜鉛、チタン、または、これらの合金などを採用することができる。また例えば、チタン合金、ステンレススチール、タンタルカーバイドなどを採用することもできる。【０１１１】
そして、この絶縁部材を構成する導電性材料に被覆される非導電性の被膜、すなわち絶縁被膜としては、例えば、非導電性の塗装被膜、非導電性の印刷被膜、非導電性の乾式めっき被膜などが挙げられる。【０１１２】
絶縁被膜の具体例としては、
・ＤＬＣ（Ｄｉａｍｏｎｄ  Ｌｉｋｅ  Ｃａｒｂｏｎ）被膜、
・アクリル系材料、ウレタン系材料、セルロース系材料などの有機材料の絶縁被膜、
・クロム化合物を含むクロム化合物系被膜、
・酸化アルミ化合物を含む酸化アルミ系被膜、
などが挙げられる。【０１１３】
このうちクロム化合物系被膜としては、酸化クロム化合物を含む酸化クロム系被膜、窒化クロム化合物を含む窒化クロム系被膜、炭化クロム化合物を含む炭化クロム系被膜などが挙げられる。【０１１４】
絶縁性の塗装被膜を形成する具体例としては、クリアコートのような、絶縁性の上塗り塗装被膜を施す方法が挙げられる。この場合、メタリック塗装による塗装被膜を施した後、このメタリック塗装被膜の上に、透明、または半透明な合成樹脂層であるクリアコートを被覆するようにしてもよい。【０１１５】
このような絶縁性の塗装被膜の具体例としては、ポリウレタン樹脂塗料、樹脂を形成するポリマー分子中にフッ素が混入されたフッ素樹脂塗料、ポリ塩化ビニル樹脂を可塑剤に分散させた塩ビゾル塗料、オイルフリーポリエステル樹脂をシリコーン中間体により変性させたシリコーンポリエステル樹脂からなるシリコーンポリエステル樹脂塗料、または、オイルフリーポリエステル樹脂、アクリル樹脂塗料、エポキシ樹脂塗料、シリコーンアクリル樹脂塗料、塩化ビニル樹脂塗料、ラッカー、フェノール樹脂塗料、塩化ゴム系塗料などが挙げられる。【０１１６】
また、このような絶縁被膜の代わりに、合成樹脂やゴムなどからなる絶縁シートが絶縁部材を構成する導電性材料に貼着された絶縁部材であってもかまわない。【０１１７】
さらに、前述の絶縁部材に採用された絶縁被膜が用いられても良い。【０１１８】
また、本発明の無線機能付き時計は、
前記絶縁領域が、前記見返しリングと前記時計ケースとの間に配置された絶縁部材から構成されていることを特徴とする。【０１１９】
このように見返しリングと時計ケースとの間に、絶縁部材を備えることによって、アンテナが電波を受信する際に、少なくとも一部が導電性の見返しリングと時計ケースとの間に流れる誘導電流に起因する電波の遮蔽作用を抑制できるため、アンテナは開口部を通じて感度良く電波を受信することができる。【０１２０】
また、本発明の無線機能付き時計は、
前記絶縁部材が、前記見返しリングと時計ケースとの間の境界面の少なくともいずれか一方に貼着されていることを特徴とする。【０１２１】
このように構成することによって、シート状の絶縁部材を見返しリング、または時計ケースのいずれか一方に貼着するだけで良いので、見返しリングを時計ケースに組み込み易くなり、作業能率が向上し、製造コストを低減することができる。【０１２２】
また、本発明の無線機能付き時計は、
前記絶縁領域が、前記見返しリングと前記時計ケースとの間の境界面の少なくともいずれか一方に形成された絶縁被膜から構成されていることを特徴とする。【０１２３】
このように構成することによって、例えば、絶縁材料を塗装することによって、見返しリングと時計ケースとの間の境界面の少なくともいずれか一方に、絶縁被膜からなる絶縁領域を形成することができ、作業能率が向上し、製造コストを低減することができる。【０１２４】
また、本発明の無線機能付き時計は、
前記絶縁被膜が、前記見返しリングの全面に形成されていることを特徴とする。【０１２５】
このように構成することによって、例えば、見返しリングを絶縁材料液に浸漬することによって、絶縁被膜を形成することができ、作業能率が向上し、製造コストを低減することができる。【０１２６】
また、本発明の無線機能付き時計は、
前記時計ケースにベゼルが設けられているとともに、
少なくとも一部が導電性の見返しリングと少なくとも一部が導電性のベゼルとの間に絶縁領域を備えることを特徴とする。【０１２７】
このように見返しリングとベゼルとの間に、絶縁領域を備えることによって、アンテナが電波を受信する際に、少なくとも一部が導電性の見返しリングとベゼルとの間に流れる誘導電流に起因する電波の遮蔽作用を抑制できるため、アンテナは開口部を通じて感度良く電波を受信することができる。【０１２８】
なお、この絶縁領域は、少なくともベゼルの導電性部分と見返しリングとの間に配置される。【０１２９】
また、この絶縁領域を構成する絶縁部材としては、上記の見返しリングと時計ケースとの間の絶縁領域と同様な絶縁部材を用いることができる。【０１３０】
また、本発明の無線機能付き時計は、
前記絶縁領域が、前記見返しリングと前記ベゼルとの間に配置された絶縁部材から構成されていることを特徴とする。【０１３１】
このように見返しリングとベゼルとの間に、絶縁部材を備えることによって、アンテナが電波を受信する際に、少なくとも一部が導電性の見返しリングとベゼルとの間に流れる誘導電流に起因する電波の遮蔽作用を抑制できるため、アンテナは開口部を通じて感度良く電波を受信することができる。【０１３２】
また、本発明の無線機能付き時計は、
前記絶縁部材が、前記見返しリングと前記ベゼルとの間の境界面の少なくともいずれか一方に貼着されていることを特徴とする。【０１３３】
このように構成することによって、例えば、シート状の絶縁部材を見返しリングとベゼルのいずれか一方に貼着するだけで良いので、見返しリングとベゼルを時計ケースに組み込み易くなり、作業能率が向上し、製造コストを低減することができる。【０１３４】
また、本発明の無線機能付き時計は、
前記絶縁領域が、前記見返しリングと前記ベゼルとの間の境界面の少なくともいずれか一方に形成された絶縁被膜から構成されていることを特徴とする。【０１３５】
このように構成することによって、例えば、絶縁材料を塗装することによって、ベゼルと見返しリングとの間の境界面の少なくともいずれか一方に、絶縁被膜からなる絶縁領域を形成することができ、作業能率が向上し、製造コストを低減することができる。【０１３６】
また、本発明の無線機能付き時計は、
前記絶縁被膜が、前記ベゼルの全面に形成されていることを特徴とする。【０１３７】
このように構成することによって、例えば、ベゼルを絶縁材料液に浸漬することによって、絶縁被膜を形成することができ、作業能率が向上し、製造コストを低減することができる。【０１３８】
また、本発明の無線機能付き時計は、
少なくとも一部が導電性のベゼルと少なくとも一部が導電性の時計ケースとの間に絶縁領域を備えることを特徴とする。【０１３９】
このようにベゼルと時計ケースとの間に、絶縁領域を備えることによって、アンテナが電波を受信する際に、少なくとも一部が導電性のベゼルと時計ケースとの間に流れる誘導電流に起因する電波の遮蔽作用を抑制できるため、アンテナは開口部を通じて感度良く電波を受信することができる。【０１４０】
なお、この絶縁領域は、少なくともベゼルの導電性部分と時計ケースとの間に配置される。【０１４１】
さらに、この絶縁領域を構成する絶縁部材としては、上記の見返しリングと時計ケースとの間の絶縁領域と同様な絶縁部材を用いることができる。【０１４２】
また、本発明の無線機能付き時計は、
前記絶縁領域が、前記ベゼルと前記時計ケースとの間に配置された絶縁部材から構成されていることを特徴とする。【０１４３】
このようにベゼルと時計ケースとの間に、絶縁部材を備えることによって、アンテナが電波を受信する際に、少なくとも一部が導電性のベゼルと時計ケースとの間に流れる誘導電流に起因する電波の遮蔽作用を抑制できるため、アンテナは開口部を通じて感度良く電波を受信することができる。【０１４４】
また、本発明の無線機能付き時計は、
前記絶縁部材が、前記ベゼルと前記時計ケースとの間の境界面の少なくともいずれか一方に貼着されていることを特徴とする。【０１４５】
このように構成することによって、シート状の絶縁部材をベゼルと時計ケースのいずれか一方に貼着するだけで良いので、ベゼルを時計ケースに組み込み易くなり、作業能率が向上し、製造コストを低減することができる。【０１４６】
また、本発明の無線機能付き時計は、
前記絶縁領域が、前記ベゼルと前記時計ケースとの間の境界面の少なくともいずれか一方に形成された絶縁被膜から構成されていることを特徴とする。【０１４７】
このように構成することによって、例えば、絶縁材料を塗装することによって、ベゼルと時計ケースとの間の境界面の少なくともいずれか一方に、絶縁被膜からなる絶縁領域を形成することができ、作業能率が向上し、製造コストを低減することができる。【０１４８】
また、本発明の無線機能付き時計は、
ハウジングの一部を構成する前記時計ケースと、
前記時計ケースの上面に配置されたベゼルと、
前記ベゼルから前記時計ケースの内側に向かって平面方向に沿って突出する、導電性の見返し受け部と、
前記見返し受け部の上方に載置される見返しリングと、
前記見返し受け部を上下方向に沿って貫通する前記開口部が設けられることを特徴とする。【０１４９】
このようにベゼルに見返し受け部が設けられていても、ベゼルの見返し受け部に開口部を設ければ、受信電波が通り易くなり、さらに導電性の見返し受け部とアンテナは、受信感度良好となるだけの距離が確保されることとなる。このため、アンテナが受信する電波が導電性の見返し受け部に遮られず、アンテナは開口部を通じて感度良く電波を受信することができる。【０１５０】
これにより、アンテナの受信感度の低下が阻止されることになり、アンテナの受信感度が向上することになる。
【発明の効果】
【０１５１】
本発明によれば、時計ケースの内周部に形成された導電性の突出部、見返し受け部、または時計ケースの内周部に配置されたベゼルに設けられた導電性の見返し受け部に、開口部が設けられているので、この開口部によって、受信電波が通り易くなり、アンテナで受信する電波がこれら導電性の部材に遮られず、アンテナは開口部を通じて感度良く電波を受信することができる。【０１５２】
これにより、アンテナの受信感度の低下が阻止されることになり、アンテナの受信感度が向上された無線機能付き時計を提供することができる。【０１５３】
また、無線機能付き時計の内部に開口部が設けられているため、アンテナを有しない（通常の）時計と同様の外観とすることができ、美観が良好で高級観を有し、強度的にも優れ、さらに装着時に装着感が良好な無線機能付き時計を提供することができる。【０１５４】
さらに、径方向の厚みを必要以上に大きくする必要のない無線機能付き時計を提供することができる。【０１５５】
また、ハウジングがフルメタルであっても、良好な受信感度を有するとともにアンテナが所定の電波を確実に受信できる無線機能付き時計を提供することができる。【０１５６】
また、時計ケースの内周部に形成された導電性の見返し受け部、または時計ケースの内周部に配置されたベゼルに設けられた導電性の見返し受け部に、開口部が設けられているとともに、見返しリングにスリットが形成され、開口部とスリットが部分的に上下に重なって配置されているので、アンテナで受信する電波がこれら導電性の部材に遮られず、開口部およびスリットを通じて感度良く電波を受信することができる。【０１５７】
これにより、導電性の見返し受け部の上方に導電性の見返しリングが載置された無線機能付き時計であっても、アンテナの受信感度を向上させることができる。【０１５８】
また、このように見返し受け部に形成された開口部と、見返しリングに形成されたスリットとを同一直線状に配置すれば、アンテナ上方に金属が配置されない距離を長く確保することが可能となるので、受信感度をより効果的に向上させることができる。【０１５９】
また、見返しリングに形成されたスリット内に絶縁部材、特に金属外観を呈する絶縁部材を配置すれば、美観的にも良好な無線機能付き時計を提供することができる。【０１６０】
さらに、スリット内に絶縁部材が配置されているので、見返しリングの強度が維持されることにもなる。
【図面の簡単な説明】
【０１６１】
【図１】図１は、本発明の無線機能付き時計における分解斜視図である。
【図２】図２は、図１の無線機能付き時計の組み立てた状態での部分断面図である。
【図３】図３は、本発明の無線機能付き時計における開口部の範囲を示した上面図である。
【図４】図４は、本発明の無線機能付き時計における開口部の他の範囲を示した上面図である。
【図５】図５は、本発明の無線機能付き時計における開口部の他の範囲を示した上面図である。
【図６】図６は、本発明の無線機能付き時計における開口部の他の範囲を示した上面図である。
【図７】図７は、本発明の別の実施例における無線機能付き時計における図２と同様な部分断面図である。
【図８】図８は、本発明の別の実施例における無線機能付き時計において、絶縁領域を設けた状態を示す部分断面図である。
【図９】図９は、図８に示した絶縁領域の他の範囲を示した部分拡大断面図である。
【図１０】図１０は、図８に示した絶縁領域の他の範囲を示した部分拡大断面図である。
【図１１】図１１は、本発明の無線機能付き時計において、絶縁領域の位置を示した上面図である。
【図１２】図１２は、本発明の無線機能付き時計において、絶縁領域の他の位置を示した上面図である。
【図１３】図１３は、本発明の無線機能付き時計において、絶縁領域の他の位置を示した上面図である。
【図１４】図１４は、本発明の別の実施例に係る無線機能付き時計の分解斜視図である。
【図１５】図１５は、図１４に示した無線機能付き時計を組み立てた状態での部分拡大断面図である。
【図１６】図１６は、図１４に示した無線機能付き時計において、アンテナと見返し受け部との配置関係を示した概略平面図である。
【図１７】図１７は、図１４に示した無線機能付き時計の見返しリングに絶縁部材を嵌め込むときの概略斜視図である。
【図１８】図１８は、本発明の無線機能付き時計の絶縁部材７４の配置を示す実施例の部分拡大斜視図である。
【図１９】図１９は、本発明の無線機能付き時計の絶縁部材７４の配置を示す実施例の上面図である。
【図２０】図２０は、本発明の無線機能付き時計の絶縁部材７４の配置を示す実施例の上面図である。
【図２１】図２１は、本発明の無線機能付き時計の絶縁部材７４の配置を示す実施例の上面図である。
【図２２】図２２は、本発明の別の実施例の無線機能付き時計１０の図１７と同様な部分拡大斜視図で、スリット５６内に絶縁部材７８、付加部材８０を装着する状態を説明する部分拡大斜視図である。
【図２３】図２３は、図２２の無線機能付き時計１０において、スリット５６内に絶縁部材７８、付加部材８０を装着した状態を説明する部分拡大断面図である。
【図２４】図２４は、本発明の別の実施例の無線機能付き時計１０の図１７と同様な部分拡大斜視図である。
【図２５】図２５は、本発明の別の実施例の無線機能付き時計１０の図１７と同様な部分拡大斜視図である。
【図２６】図２６は、本発明の別の実施例の無線機能付き時計１０の図１５と同様な部分拡大断面図である。
【図２７】図２７は、本発明の別の実施例の無線機能付き時計１０の図１７と同様な部分拡大斜視図で、スリット５６内に絶縁部材７８、付加部材８０を装着する状態を説明する部分拡大斜視図である。
【図２８】図２８は、図２６の無線機能付き時計１０において、スリット５６内に絶縁部材７８、付加部材８０を装着した状態を説明する部分拡大断面図である。
【図２９】図２９は、本発明の別の実施例の無線機能付き時計１０の図１７と同様な部分拡大斜視図である。
【図３０】図３０は、本発明の別の実施例の無線機能付き時計１０の図１７と同様な部分拡大斜視図で、スリット５６内に絶縁部材７８、付加部材８０を装着する状態を説明する部分拡大斜視図である。
【図３１】図３１は、図３０の無線機能付き時計１０において、スリット５６内に絶縁部材７８、付加部材８０を装着した状態を説明する部分拡大斜視図である。
【図３２】図３２は、図３０の無線機能付き時計１０において、スリット５６内に絶縁部材７８、付加部材８０を装着した状態を説明する部分拡大断面図である。
【図３３】図３３は、絶縁部材７８に、付加部材８０を装着する方法を説明する斜視図である。
【図３４】図３４は、本発明の別の実施例に係る無線機能付き時計の分解斜視図である。
【図３５】図３５は、図３４に示した実施例の無線機能付き時計を組み立てた状態での部分拡大断面図である。
【図３６】図３６は、図３４に示した実施例の無線機能付き時計の概略平面図である。
【図３７】図３７は、本発明の別の実施例に係る無線機能付き時計を示したもので、特に絶縁部材と見返しリングとの間に接合層を設けたときの概略斜視図である。
【図３８】図３８は、本発明の別の実施例における無線機能付き時計における分解斜視図である。
【図３９】図３９は、図３８の無線機能付き時計の組み立てた状態での部分断面図である。
【図４０】図４０は、本発明の無線機能付き時計の別の実施例を示す部分断面図である。
【図４１】図４１は、図４０に示した実施例における絶縁領域の他の範囲を示した部分拡大断面図である。
【図４２】図４２は、図４０に示した実施例における絶縁領域の他の範囲を示した部分拡大断面図である。
【図４３】図４３は、本発明の無線機能付き時計の別の実施例を示す部分断面図である。
【図４４】図４４は、図４３に示した実施例における絶縁領域の他の範囲を示した部分拡大断面図である。
【図４５】図４５は、図４３に示した実施例における絶縁領域の他の範囲を示した部分拡大断面図である。
【図４６】図４６は、本発明の別の実施例を示したもので、特にベゼルを設けた無線機能付き時計の部分拡大断面図である。
【図４７】図４７は、本発明の別の実施例の無線機能付き時計１０の図９と同様な部分拡大斜視図である。
【図４８】図４８は、本発明の無線機能付き時計の別の実施例を示す図９と同様な部分拡大断面図である。
【図４９】図４９は、従来の無線機能付き腕時計の断面図である。
【図５０】図５０は、従来の無線機能付き腕時計の分解斜視図である。
【図５１】図５１は、従来の無線機能付き腕時計の平面図である。
【図５２】図５２は、図５１に示した無線機能付き腕時計の部分断面図である。
【図５３】図５３は、従来の無線機能付き時計の分解斜視図である。
【図５４】図５４は、ベゼルを備えた従来の無線機能付き時計の分解斜視図である。
【符号の説明】
【０１６２】
１０      無線機能付き時計
１２      ハウジング
１４      時計ケース
１６      裏蓋
１８      風防
２０      ムーブメント
２０ａ    小径部
２０ｂ    大径部
２１      針軸
２１ａ    分針
２１ｂ    時針
２２      ソーラーセル
２４      文字板
２６      アンテナ
２６ａ    開放端部
２６ｂ    開放端部
２８      バンド取り付け部
３０      脚部
３１      貫通穴
３１ａ    貫通穴
３１ｂ    貫通穴
３２      見返し受け部
３３      開口部
３３ａ    開口部
３３ｂ    開口部
３４      段部
３４ａ    上面
３４ｂ    側面
３６      見返しリング
３６ａ    上面
３６ｂ    傾斜面
３７      スリット
３８      見返しリング本体部
３９      スリット
３９ａ    孔
３９ｂ    孔
４０      延設部
４２      傾斜面
４４      指標
４６      風防用パッキン
４７      防水用パッキン
４８      中子部材
５０      係合突設部
５２      係合用凹部
５４      支持枠
５６      突出部
５７      風防受け部
５８      絶縁領域
５８ａ    絶縁領域
５８ｂ    絶縁領域
６０      絶縁部材
６０ａ    上面
６０ｂ    傾斜面
６０ｃ    凹部
６０ｄ    係合孔部
６０ｅ    延出部
６１      接合層
６６      接合部
６７      接合部
６８      接合部
６９      接合部
７０      ベゼル
７１      防水パッキン
７２      天面
７３      ベゼル収容凹部
７４      嵌合部
７５      段部
７６      見返し受け部
７８      絶縁部材
７８ａ    凹部
７８ｂ    係合孔部
７８ｃ    延出部
８０      付加部材
８０ａ    上面
８０ｂ    傾斜面
８０ｃ    覆い部
８０ｄ    係合凸部
８２      指標
８４      装飾部材
８８      指標部
９０      境界
１００    時計
１０２    アンテナ
１０４    電波
１０６    アンテナ巻芯部
１０８    アンテナコイル部
１１０    閉空間
１１２    文字板
１１４    時計ムーブメント
１１６    太陽電池
１１８    減衰する電波
１２０    ガラス
１２２    ベゼル
１２４    外装ケース
１２６    裏蓋
２００    腕時計
２０２    ループアンテナ
２０４    ループ開口面
２０６    時計ケース
２０８    開口部
２１０    時計ケース
２１２    文字板
２１４    裏蓋
３００    電波時計
３１４    ケース
３１８    風防
３２４    文字板
３２６    裏蓋
３３３    開口部
４００    電波時計
４１２    ハウジング
４１４    時計ケース
４２６    アンテナ
４３２    スリット
５００    時計
５１２    ハウジング
５１４    時計ケース
５１６    裏蓋
５１８    風防
５２０    ムーブメント
５２２    ソーラーセル
５２２    スリット
５２４    文字板
５２６    アンテナ
５３２    見返し受け部
５３６    リング
５４６    防水パッキン
５４７    防水パッキン
５４８    中子部材
５５０    係合突設部
５５２    係合用凹部
５５４    支持枠
【発明を実施するための最良の形態】
【０１６３】
以下、本発明の実施の形態（実施例）を図面に基づいてより詳細に説明する。
（実施例１）
図１は、本発明の無線機能付き時計における分解斜視図、図２は、図１の無線機能付き時計の組み立てた状態での部分断面図、図３から図６は、本発明の無線機能付き時計における開口部の範囲を示した上面図である。【０１６４】
本発明は、収納されたアンテナによって外部からの所定の電波を受信する無線機能付き時計である。さらに無線機能付き時計には、例えばパソコン通信機能、携帯電話機能や非接触式ＩＣカード機能などの無線機能を備える時計、時刻情報を含む長波標準電波（搬送波）を受信し、その時刻情報に基づいて時刻を修正する無線機能を備えた電波時計、これらの無線機能のいずれかを組み合わせて構成した時計が含まれ、その他の無線機能も含まれるものである。【０１６５】
なお、本明細書中「上下方向」とは、図１において上下方向を意味する。さらに「上面」とは、腕時計を手首に装着した状態において外方に露出する面であり、「下面」とは同状態において手首と相対する面である。また「平面方向」とは、図１において左右方向を意味するものであり、平面方向がバンドの長手方向、またはバンドの幅方向と重複する場合もある。【０１６６】
本発明の無線機能付き時計１０には、図１または図２に示したように、ハウジング１２が備えられている。【０１６７】
このハウジング１２には、金属製の略円筒形状の枠体を構成する時計ケース１４と、時計ケース１４の下面開口を覆うように密封状態で装着される金属製の裏蓋１６と、この時計ケース１４の上面開口を覆うように、密封状態で装着される風防１８と、が備えられている。【０１６８】
なおハウジング１２は、このように裏蓋１６を有する場合の他、裏蓋１６と時計ケース１４とが一体になった場合、裏蓋１６がガラス製である場合など、様々な場合を含むものである。【０１６９】
このようなハウジング１２内には、時計駆動部を構成するムーブメント２０と、このムーブメント２０の上面に配置され、ムーブメント２０を光の起電力によって駆動するためのソーラーセル２２が備えられている。【０１７０】
また、ソーラーセル２２の上面には、ソーラーセル２２の発電に寄与する波長の外光を、少なくともムーブメント２０の駆動に足るだけ透過させることのできる文字板２４が備えられている。【０１７１】
さらに、このムーブメント２０の側部下方の小径部２０ａには、標準電波を受信するためのアンテナ２６が付設されている。【０１７２】
なお本実施例では、アンテナ２６は、コアとなる棒状の磁芯部材と磁芯部材の外周に巻かれたコイルとよりなるバーアンテナとして図示しているが、その他の構成のアンテナから構成することも勿論可能である。【０１７３】
また文字板２４は、ソーラーセル２２の発電に寄与する波長の外光を透過する透光機能を有するものであれば特に限定されるものではないが、例えば合成樹脂、セラミック、ガラス、木材、貝などの非導電性材料で構成すれば、外部からの電波がさらにアンテナ２６に到達し易くなり、アンテナ２６の受信感度を向上することができる。【０１７４】
さらに時計ケース１４は、外方に突出する２組のバンド取り付け部２８を備えており、これらのバンド取り付け部２８は、それぞれ互いに対向するように一定間隔離間して配置され時計ケース１４より延設された脚部３０から構成されている。【０１７５】
そして、それぞれの脚部３０の間に、無線機能付き時計１０のバンド（図示せず）が、それぞれに連結されるようになっている。【０１７６】
なお図示しないが、本実施例の無線機能付き時計１０では、ムーブメント２０より突出して、ソーラーセル２２と文字板２４とを貫通する針軸２１が設けられ、針軸２１には図示しない分針と時針とが配置され、これらが文字板２４と風防１８との間に位置して時刻を表示するようになっている。【０１７７】
そして、時計ケース１４の内周部に、環状に突設された見返し受け部３２が形成されており、この見返し受け部３２上に、導電性で環状の見返しリング３６が装着されている。【０１７８】
見返しリング３６を構成する導電性の材料としては、金、銀、銅、黄銅、アルミニウム、マグネシウム、亜鉛、チタン、または、これらの合金などを採用することができる。また、チタン合金、ステンレススチール、タンタルカーバイドなどを採用することもできる。【０１７９】
あるいは、非導電性の部材を芯材とし、少なくともその視認面にメッキなどにより金属外観を呈する導電性の金属被膜を形成しても良い。【０１８０】
この見返しリング３６は、図２に示したように、見返し受け部３２上に配置される見返しリング本体部３８と、見返しリング本体部３８から文字板２４上に延設され、文字板２４上に載置される延設部４０とを備えている。【０１８１】
また見返しリング３６の内面側は、下方に向かって径が小さくなる傾斜面４２が形成され、この傾斜面４２上に、時字（図示せず）などの指標が形成されている。【０１８２】
この見返しリング３６の上端と、時計ケース１４の上端内周側には、風防１８を密封状態で固定するための固定（防水）パッキン４７が介装されており、これによって時計ケース１４と風防１８とが密封されるようになっている。【０１８３】
一方、裏蓋１６には、内側に突設する中子部材４８が形成されており、この中子部材４８の外周側には、離間して形成された複数の係合突設部５０が突設されている。そして、時計ケース１４の下端近傍の内周側には、この裏蓋１６の中子部材４８の係合突設部５０が嵌合する係合用凹部５２が形成されている。【０１８４】
また、ムーブメント２０の側部上方の大径部２０ｂと、中子部材４８の上端部との間には、支持枠５４が介装されている。【０１８５】
このように、裏蓋１６の中子部材４８の係合突設部５０を、時計ケース１４の下端近傍の係合用凹部５２に係合し、支持枠５４によってムーブメント２０、ソーラーセル２２を固定し、これらの部材が時計ケース１４の内部に収容されるようになっている。【０１８６】
支持枠５４は、合成樹脂などの非導電性材料からなる。ハウジング１２の一部を構成する時計ケース１４がステンレスのような導電性材料からなる場合は、支持枠５４は、導電性の時計ケース１４とアンテナ２６との平面方向に沿った隙間を確保し、アンテナ２６の受信性能を高く維持する。【０１８７】
なお図２において、符号４７は、裏蓋１６と時計ケース１４との間を密封状態で封止するための防水パッキンである。【０１８８】
ところで、このような無線機能付き時計１０は、アンテナ２６が電波を受信する際に、導電性の見返し受け部３２とアンテナ２６とが近接していると、アンテナ２６の受信感度が極めて低下してしまうこととなる。【０１８９】
そこで、本発明の無線機能付き時計１０では、これらの現象を回避するために、見返し受け部３２には部分的に開口部３３が設けられている。【０１９０】
その範囲は、図３に示したようにアンテナ２６の上方近傍付近とすれば、アンテナ２６上方には、導電性で有るが故に電波の受信を妨げてしまう見返し受け部３２が存在しないこととなり、アンテナ２６の受信感度を向上させることができる。【０１９１】
なお、見返し受け部３２に設けられる開口部３３は、例えば図４に示したように、アンテナ２６の両側の開放端部２６ａ、２６ｂに対向するよう開口部３３ａ、３３ｂとして設けたり、図示しないがアンテナ２６の少なくとも一方の開放端部２６ａに対向する部分のみに設けることもできる。【０１９２】
また、開口部３３を切り欠きによって設けないで、図５に示したようにアンテナ２６の上方付近に該当する見返し受け部３２に貫通穴３１を設けたり、図６に示したようにアンテナ２６の両側の開放端部２６ａ、２６ｂに対向する箇所のみに貫通穴３１ａ、３１ｂを設けることも可能である。【０１９３】
なお、開口部３３、貫通穴３１をどのように設けるかについては、特にアンテナ２６の受信感度の向上を重点的に考えた場合には、図３から図６の中でも開口部３３の範囲が一番広範囲である図３に示したように開口部３３を設けることが好ましい。【０１９４】
このように見返し受け部３２に開口部３３、貫通穴３１を設けることにより、受信電波が通り易くなり、さらに導電性の見返し受け部３２とアンテナ２６とは、受信感度良好となるだけの距離が確保されることとなる。【０１９５】
このため、アンテナ２６が受信する電波が導電性の見返し受け部３２に遮られず、アンテナ２６は開口部３３、貫通穴３１を通じて感度良く電波を受信することができる。【０１９６】
これにより、アンテナ２６の受信感度の低下が阻止されることになり、アンテナ２６の受信感度を向上させることができる。
（実施例２）
図７は、本発明の別の実施例の無線機能付き時計を示す分解斜視図である。【０１９７】
この実施例の無線機能付き時計１０は、基本的には、図１または図２に示した実施例の無線機能付き時計１０と同じ構成であるので、同じ構成部材には、同じ参照番号を付してその詳細な説明を省略する。【０１９８】
図７に示した無線機能付き時計１０には、非導電性の見返しリング３６が、見返し受け部３２に装着されている。【０１９９】
このような非導電性の見返しリング３６の材質としては、特に限定されるものではないが、合成樹脂、ゴム、セラミックなどの非導電性の絶縁部材を採用することができる。【０２００】
また導電性の素材に、非導電性の被膜が被覆された部材とすることも可能である。【０２０１】
この場合、見返しリング３６を構成する導電性材料としては、金、銀、銅、黄銅、アルミニウム、マグネシウム、亜鉛、チタン、または、これらの合金などを採用することができる。また、チタン合金、ステンレススチール、タンタルカーバイドなどを採用することもできる。【０２０２】
そして、この見返しリング３６を構成する導電性材料に被覆される非導電性の被膜、すなわち絶縁被膜としては、例えば、非導電性の塗装被膜、非導電性の印刷被膜、非導電性の乾式めっき（ＣＶＤ）被膜などが挙げられる。【０２０３】
絶縁被膜の具体例としては、
・ＤＬＣ（Ｄｉａｍｏｎｄ  Ｌｉｋｅ  Ｃａｒｂｏｎ）被膜、
・アクリル系材料、ウレタン系材料、セルロース系材料などの有機材料の絶縁被膜、
・クロム化合物を含むクロム化合物系被膜、
・酸化アルミ化合物を含む酸化アルミ系被膜、
などが挙げられる。【０２０４】
このうちクロム化合物系被膜としては、酸化クロム化合物を含む酸化クロム系被膜、窒化クロム化合物を含む窒化クロム系被膜、炭化クロム化合物を含む炭化クロム系被膜などが挙げられる。【０２０５】
絶縁性の塗装被膜を形成する具体例としては、クリアコートのような、絶縁性の上塗り塗装被膜を施す方法が挙げられる。この場合、メタリック塗装による塗装被膜を施した後、このメタリック塗装被膜の上に、透明、または半透明な合成樹脂層であるクリアコートを被覆するようにしてもよい。【０２０６】
このような絶縁性の塗装被膜の具体例としては、ポリウレタン樹脂塗料、樹脂を形成するポリマー分子中にフッ素が混入されたフッ素樹脂塗料、ポリ塩化ビニル樹脂を可塑剤に分散させた塩ビゾル塗料、オイルフリーポリエステル樹脂をシリコーン中間体により変性させたシリコーンポリエステル樹脂からなるシリコーンポリエステル樹脂塗料、または、オイルフリーポリエステル樹脂、アクリル樹脂塗料、エポキシ樹脂塗料、シリコーンアクリル樹脂塗料、塩化ビニル樹脂塗料、ラッカー、フェノール樹脂塗料、塩化ゴム系塗料などが挙げられる。【０２０７】
また、このような絶縁被膜の代わりに、合成樹脂やゴムなどからなる絶縁シートが絶縁部材を構成する導電性材料に貼着された絶縁部材であってもかまわない。【０２０８】
さらに、前述の絶縁部材に採用された絶縁被膜が用いられても良い。【０２０９】
このように、見返し受け部３２に開口部３３を有し、さらに見返し受け部３２に載置される見返しリング３６が非導電性の材質からなれば、実施例１の無線機能付き時計１０よりも、さらにアンテナ２６の受信感度を向上させることができる。
（実施例３）
図８は、本発明の別の実施例の無線機能付き時計を示す部分断面図、図９は、図８に示した絶縁領域の他の範囲を示した部分拡大断面図、図１０は、図８に示した絶縁領域の他の範囲を示した部分拡大断面図である。【０２１０】
この実施例の無線機能付き時計１０は、基本的には、図１または図２に示した実施例の無線機能付き時計１０と同じ構成であるので、同じ構成部材には、同じ参照番号を付してその詳細な説明を省略する。【０２１１】
図８に示した無線機能付き時計１０には、アンテナ２６の受信感度を向上させるために、見返し受け部３２に開口部３３を設けることと合わせて、時計ケース１４の見返し受け部３２と見返しリング３６との間に絶縁領域５８が設けられている。【０２１２】
このように見返し受け部３２と見返しリング３６との間に、絶縁領域５８を備えることによって、アンテナ２６が電波を受信する際に、導電性の見返し受け部３２と見返しリング３６との間に流れる誘導電流に起因する電波の遮蔽作用を抑制できるため、アンテナ２６は開口部３３を通じて感度良く電波を受信することができる。【０２１３】
また絶縁領域５８は絶縁部材から構成することができ、さらに絶縁領域５８を、見返しリング３６と時計ケース１４との間の境界面の少なくともいずれか一方に形成された絶縁被膜から構成することもできる。【０２１４】
このように、塗装、蒸着などの被膜であれば、見返しリング３６と時計ケース１４との間に、簡単に絶縁領域５８を形成することができるため、作業能率が良く、製造コストを低減することができる。【０２１５】
また絶縁領域５８は、図８においては、見返し受け部３２の段部３４の上面３４ａと側面３４ｂに沿って形成されているが、図９に示したように、少なくとも見返し受け部３２の段部３４の上面３４ａに沿って形成してあれば良い。【０２１６】
また、図１０に示したように、見返しリング３６の全面に絶縁領域５８として絶縁被膜を形成することもできる。この場合には、例えば見返しリング３６を絶縁材料液に浸漬することによって、絶縁被膜を形成することができる。【０２１７】
絶縁領域５８の数や形成位置としては、特に限定されるものではなく、アンテナ２６の位置と対応する部分にのみ絶縁領域５８として絶縁被膜を形成してもよく、例えば図１１から図１３に示したような位置に形成することが好ましい。【０２１８】
すなわち、図１１に示した絶縁領域５８は、アンテナ２６の上方近傍に配置されている。【０２１９】
このように絶縁領域５８を、アンテナ２６の上方近傍に配置すれば、アンテナ２６の上方では、アンテナ２６が電波を受信する際に、導電性の見返しリング３６と時計ケース１４との間に流れる誘導電流に起因する電波の遮蔽作用を抑制できるため、アンテナ２６は開口部３３を通じて感度良く電波を受信することができる。【０２２０】
また、図１２に示したように、絶縁領域５８をアンテナ２６の少なくとも一方の開放端部２６ａに対向して、アンテナ２６の上方近傍に配置された絶縁領域５８ａから構成することもできる。【０２２１】
さらに、図１３に示したように、絶縁領域５８をアンテナ２６の開放端部２６ａ、２６ｂに対向して、アンテナ２６の上方近傍に配置された２つの絶縁領域５８ａ、５８ｂから構成することもできる。【０２２２】
なお、このような絶縁領域５８の範囲は、アンテナ２６による所望の受信感度が得られるよう適宜設けることが好ましい。
（実施例４）
図１４は、本発明の別の実施例の無線機能付き時計を示す分解斜視図、図１５は、図１４に示した無線機能付き時計を組み立てた状態での部分拡大断面図、図１６は、図１４に示した無線機能付き時計において、アンテナと見返し受け部との配置関係を示した概略平面図、図１７は、図１４に示した無線機能付き時計の見返しリングに絶縁部材を嵌め込むときの概略斜視図である。【０２２３】
この実施例の無線機能付き時計１０は、基本的には、図１または図２に示した実施例の無線機能付き時計１０と同じ構成であるので、同じ構成部材には、同じ参照番号を付してその詳細な説明を省略する。【０２２４】
図１４に示した無線機能付き時計１０では、時計ケース１４の見返し受け部３２には、開口部３３が形成されている。なお、この開口部３３の平面方向の長さは特に限定されるものではないが、余りに大きくなるとこの上に配置される見返しリング３６の装着姿勢が不安定となる。したがって、見返しリング３６の装着姿勢に問題が生じなければ、長さは限定されず、例えば、アンテナ２６の全長よりやや長く形成されている。あるいは、この開口部３３は、２つに分離して形成されていても良い。【０２２５】
また、本実施例の見返しリング３６には、図１４に示したように、周方向を縦に分断するようにスリット３７が形成されている。このスリット３７により、見返しリング３６の環は完全に切断されている。このスリット３７の長さは、上記開口部３３の長さと対応する長さであることが好ましい。【０２２６】
このように形成された見返しリング３６を、見返し受け部３２上に装着する際には、見返しリング３６のスリット３７を見返し受け部３２の開口部３３に完全に合致させるか、少なくとも部分的に上下に重なって配置させることが好ましい。スリット３７と開口部３３とを同一直線上に合致させれば、絶縁領域５８が介在されることと相俟って、見返しリング３６に周方向の渦流(環状電流)が流れることない。【０２２７】
また、図１６に示したように、アンテナ２６と、開口部３３、スリット３７との間を直線状に配置すれば、すなわち、アンテナ２６の直上に開口部３３，スリット３７を配置すれば、アンテナ２６の上方域には、電波の受信を妨げる導電性の部材が存在しないので、電波が通りやすくなり、アンテナ２６の受信感度が向上することになる。【０２２８】
一方、見返しリング３６に形成したスリット３７は、このままでは外部に露見し美観や高級観が損なわれるので、図１７に示したように、このスリット３７内に絶縁部材６０を配置することが好ましい。【０２２９】
この絶縁部材６０は、その断面が、見返しリング３６の断面形状と略同一形状となっており、またスリット３７内に装着できる大きさに形成されている。【０２３０】
このような絶縁部材６０をスリット３７内に装着することによって、見返しリング３６の美観を良好にすることができる。また、絶縁部材６０が配置されることによって、見返しリング３６の強度が維持されることにもなる。【０２３１】
絶縁部材６０の断面は、見返しリング３６の断面と略同一形状となっている。【０２３２】
したがって、絶縁部材６０の傾斜面６０ａが、見返しリング３６の一部として視認されるので、見返しリング３６の美観と高級観が向上し、時計自体の美観も向上する。特に、見返しリング３６、絶縁部材６０の天面は風防１８を載置するための載置面として機能するので、風防１８を確実に載置することができる。【０２３３】
また、見返しリング３６の傾斜面４２は、時計の機能表示を示す指標４４を配置する指標面として機能する。【０２３４】
したがって、見返しリング３６の傾斜面４２と絶縁部材６０の傾斜面６０ａが略同一平面を形成しているので、指標４４を読み取りやすくなる。さらに、指標４４を印刷によって形成する場合にも、平滑であるため容易に印刷することができる。【０２３５】
絶縁部材６０を構成する絶縁材料としては、特に限定されるものではないが、例えば、合成樹脂、ゴム、または、セラミックなどを採用することができる。【０２３６】
また、導電性の素材に、非導電性の被膜を被覆して形成することも可能である。この場合、絶縁部材６０を構成する導電性材料としては、見返しリング３６を構成する導電性の材料と同様に、例えば、金、銀、銅、黄銅、アルミニウム、マグネシウム、亜鉛、チタン、または、これらの合金などを採用することができる。また、例えば、チタン合金、ステンレススチール、タンタルカーバイドなどを採用することもできる。【０２３７】
そして、この絶縁部材６０を構成する導電性材料に被覆される非導電性の被膜としては、すなわち絶縁被膜としては、特に限定されるものではないが、例えば、合成樹脂、ゴム、または、セラミックなどの非導電性の絶縁部材を採用することができる。【０２３８】
また、導電性の素材に、非導電性の被膜が被覆された部材とすることも可能である。この場合、絶縁部材を構成する導電性材料としては、見返しリング３６を構成する導電性の材料と同様に、例えば、金、銀、銅、黄銅、アルミニウム、マグネシウム、亜鉛、チタン、または、これらの合金などを採用することができる。また、例えば、チタン合金、ステンレススチール、タンタルカーバイドなどを採用することもできる。【０２３９】
そして、この絶縁部材を構成する導電性材料に被覆される非導電性の被膜としては、すなわち絶縁被膜としては、例えば、
・ＤＬＣ（Diamond Like Carbon）などの被膜
・アクリル系材料、ウレタン系材料、または、セルロース系材料などの有機材料の絶縁被膜
・クロム化合物を含むクロム化合物系被膜、または、酸化アルミ化合物を含む酸化アルミ系被膜
などを採用することができる。【０２４０】
なお、クロム化合物系被膜としては、例えば、酸化クロム化合物を含む酸化クロム系被膜、窒化クロム化合物を含む窒化クロム系被膜、炭化クロム化合物を含む炭化クロム系被膜を採用することができる。【０２４１】
また、このような絶縁被膜の代わりに、合成樹脂やゴムなどから成る絶縁シートが絶縁部材を構成する導電性材料に貼着された絶縁部材であってもかまわない。【０２４２】
また、絶縁部材６０は、不用意に見返しリング３６のスリット３７から脱落しないように、見返しリング３６の端壁に固定されることが好ましい。この固定手段としては、例えば、嵌合、圧入、接合、インサート成型など、機械的な係合手段を採用することができる。さらに、この絶縁部材６０は、視認面の色調が、見返しリング３６の視認面の色調と同色色調であることが好ましい。【０２４３】
このように絶縁部材６０の視認面の色調を、見返しリング３６の視認面と同色色調となるように構成することによって、絶縁部材６０が視認され難くなり、見返しリング３６の美観、時計自体の美観が向上することになる。【０２４４】
また、絶縁部材６０の視認面の色調が、見返しリング３６の視認面の色調と異色色調とすることもできる。【０２４５】
このように、絶縁部材６０の視認面の色調を、見返しリング３６の視認面の色調と異色色調となるように構成することによって、例えば、この絶縁部材６０の部分を、美観上、または、何らかの情報を、例えば、時計の携帯者などの観察者に視認し易くすることができる。【０２４６】
ここで、「視認面」とは、外面のうち、観察者に視認される領域を言う。【０２４７】
また、「同色色調」とは、見返しリング３６と絶縁部材６０との色調が、共に同じ色調と認識され得る範囲内であることを意味し、その色調の濃淡や明暗など、色調の外観上の風合いが完全に一致することに限定されない。例えば、濃い金色、薄い金色、明るい金色、または暗い金色は、全て金色の同色色調とされる。【０２４８】
例えば、見返しリング３６が明るい金色色調であり、絶縁部材６０が暗い金色色調であろうとも、見返しリング３６と絶縁部材６０の外面が金色の同色色調を呈すれば、絶縁部材６０が視認されにくくなり、見返しリング３６の美観、時計自体の美観が向上する。【０２４９】
また、見返しリング３６と絶縁部材６０の外面の色調とは、見返しリング３６と絶縁部材６０の素材そのものの色調であっても、見返しリング３６と絶縁部材６０に被覆された被膜の色調であってもよい。このような被膜としては、例えば、塗装被膜、印刷被膜、または乾式めっき被膜などが挙げられる。【０２５０】
なお、見返しリング３６と絶縁部材６０における、視認面以外の外面が同色色調であってもよく、例えば、見返しリング３６と絶縁部材６０における外面すべてが同色色調であってもよい。【０２５１】
また、本発明の無線機能付き時計は、絶縁部材６０の視認面の色調が、見返しリング３６の視認面の色調である金属外観と同色色調である金属外観を呈することを特徴とする。【０２５２】
このように、特に、絶縁部材が、導電性素材より成る環状部材と同じような金属外観を呈すれば、絶縁部材が視認されにくくなるばかりか、環状部材に高級観が与えられる。【０２５３】
導電性素材より成る環状部材と同じような金属外観を得るために、例えば、絶縁部材は、環状部材と同色色調のメタリック塗装による塗装被膜に被覆されてもよい。このメタリック塗装被膜として、例えば、メタリック顔料が混入された塗装被膜が採用される。【０２５４】
例えば、ステンレス色を得るためには、鉄、クロム、ニッケル、モリブデンなどを成分とするステンレス顔料が含有された塗装被膜が被覆される。【０２５５】
また、例えば、金色を得るためには、銅、亜鉛、鉄などを成分とするブロンズ顔料が含有された塗装被膜が被覆される。【０２５６】
または、例えば、銀色を得るためには、アルミニウムを成分とするアルミニウム顔料、またはニッケルを成分とするニッケル顔料が含有された塗装被膜が被覆される。【０２５７】
これら以外にも、パール顔料や、グラファイト顔料、フタロシャニンフレークなど、様々な顔料が採用されても良い。【０２５８】
なお、絶縁部材が塗装される工程は以下の通りである。【０２５９】
先ず、絶縁部材の外表面上に下地塗装被膜が被覆される。次いで、この下地塗装被膜の上にメタリック塗装被膜が被覆される。さらに、このメタリック塗装被膜の上に、透明、または半透明な合成樹脂層であるクリアコートが被覆される。このクリアコートにより、メタリック塗装被膜に金属が含有されようとも、塗装された絶縁部材の最外表面は、非導電性を維持する。【０２６０】
メタリック塗装被膜に限らず、このような塗装被膜の単層、または積層の非導電性を確保するためには、クリアコートのような、絶縁性の上塗り塗装被膜が最外層として採用されることが好ましい。【０２６１】
このような絶縁塗装被膜としては、例えば、ポリウレタン樹脂塗料、樹脂を形成するポリマー分子中にフッ素が混入されたフッ素樹脂塗料、ポリ塩化ビニル樹脂を可塑剤に分散させた塩ビゾル塗料、オイルフリーポリエステル樹脂をシリコーン中間体により変性させたシリコーンポリエステル樹脂からなるシリコーンポリエステル樹脂塗料、または、オイルフリーポリエステル樹脂、アクリル樹脂塗料、エポキシ樹脂塗料、シリコーンアクリル樹脂塗料、塩化ビニル樹脂塗料、ラッカー、フェノール樹脂塗料、塩化ゴム系塗料などが採用される。【０２６２】
このようにして、絶縁部材６０が装着された見返しリング３６を見返し受け部３２上に載置した後、図１５に示したように、風防用パッキン４６を介して風防１８を時計ケース１４上に配置すれば、見返しリング３６の下方領域を密封状態にすることができる。これにより、外部からの水並びに塵埃などの侵入を防止することができる。また、耐薬品性も確保される。【０２６３】
また、『異色色調』とは、このような見返しリング３６と絶縁部材６０の視認面の色調が、上記の同色色調と認められない色調の組み合わせを言う。【０２６４】
さらに、絶縁部材６０を、時計の機能表示を示す指標とすることもできる。【０２６５】
このように、絶縁部材６０を、例えば、時刻表示、日付表示、曜日表示、月表示、年表示、電池の残量表示、圧力や温度などの外環境測定値の表示、アンテナの受信感度表示、アンテナにおける受信の成否の表示などの時計の機能表示を示す指標とすることによって、時計の機能表示を、例えば、時計の携帯者などの観察者に示すことができる。【０２６６】
特に、見返しリング３６の視認面の色調と異色色調の絶縁部材６０を指標にした場合には、このような時計の機能表示を観察者により視認し易くすることができる。【０２６７】
この場合、絶縁部材６０の数、形成位置としては、実施例３の絶縁領域５８と同様に、図１８、図１９に示した実施例のように、絶縁部材６０を、アンテナ２６の上方近傍に配置する方法、図２０に示した実施例のように、絶縁部材６０を、アンテナ２６の開放両端部２６ａ、２６ｂに対向して、アンテナ２６の上方近傍に配置された２つの絶縁部材６０から構成する方法、図２１に示した実施例のように、絶縁部材６０を、アンテナ２６の少なくとも一方の開放端部２６ａに対向して、アンテナ２６の上方近傍に配置された絶縁部材６０から構成する方法、などを採用することができる。なお、図１８〜図２１では、時計ケース１４の形状が矩形枠状であり、これに対応して、見返しリング３６も矩形枠形状のものを実施例として示しているが、前述の実施例のように、時計ケース１４、見返しリング３６を円形状とすることももちろん可能である。
（実施例５）
図２２は、本発明の別の実施例の無線機能付き時計１０の図１７と同様な部分拡大斜視図で、スリット３７内に絶縁部材６０、付加部材８０を装着する状態を説明する部分拡大斜視図、図２３は、図２２の無線機能付き時計１０において、スリット３７内に絶縁部材６０、付加部材８０を装着した状態を説明する部分拡大断面図である。【０２６８】
この実施例の無線機能付き時計１０は、図１または図２に示した無線機能付き時計１０と基本的には同様な構成であり、同一の構成部材には、同一の参照番号を付して、その詳細な説明を省略する。【０２６９】
この実施例の無線機能付き時計１０では、絶縁部材６０が、導電性の付加部材８０を保持しており、この付加部材８０が、外方から視認され得るように、かつ環状部材である見返しリング３６と接触しないように絶縁部材６０に保持されている。【０２７０】
具体的には、付加部材８０が、絶縁部材６０に形成された凹部６０ｂ内に配置され、付加部材８０が絶縁部材６０に形成された凹部６０ｂ内に確実に固定することができるようになっている。【０２７１】
なお、付加部材８０は、不用意に絶縁部材６０の凹部６０ｂから脱落しないように絶縁部材６０に固定されることが好ましい。この固定手段としては、例えば、嵌合、圧入、接合、インサート成型など、機械的な係合手段が採用される。絶縁部材６０と付加部材８０とを接合する接合層には、例えば、接着剤、粘着材、または両面テープなどが用いられる。【０２７２】
このように構成することによって、絶縁部材６０に保持された導電性の付加部材８０により、絶縁部材６０に金属外観が付与されることになるので、見返しリング３６の美観と高級観が向上し、時計自体の美観も向上することになる。【０２７３】
また、付加部材８０が、見返しリング３６と接触しないように絶縁部材６０に保持されているので、見返しリング３６に渦電流が発生せず、アンテナ２６の受信感度が向上する。【０２７４】
この場合、付加部材８０の視認面の色調が、見返しリング３６の視認面の色調と同色色調とすることができる。【０２７５】
このように、付加部材８０の視認面の色調が、見返しリング３６の視認面の色調と同色色調となるように構成することによって、付加部材８０が視認されにくくなり、見返しリング３６の美観、時計自体の美観が向上することになる。【０２７６】
また、付加部材８０の視認面の色調が、見返しリング３６の視認面の色調と異色色調とすることもできる。【０２７７】
このように、付加部材８０の視認面の色調が、見返しリング３６の視認面の色調と異色色調となるように構成することによって、例えば、この付加部材８０の部分を、美観上、または、何らかの情報を、例えば、時計の携帯者などの観察者に視認し易くすることができる。【０２７８】
また、付加部材８０を、時計の機能表示を示す指標とすることもできる。【０２７９】
すなわち、付加部材８０を、例えば、時刻表示、日付表示、曜日表示、月表示、年表示、電池の残量表示、圧力や温度などの外環境測定値の表示、アンテナの受信感度表示、アンテナにおける受信の成否の表示などの時計の機能表示を示す指標とすることによって、時計の機能表示を、例えば、時計の携帯者などの観察者に示すことができる。【０２８０】
この場合、図２４に示したように、付加部材８０自体を、時計の機能表示を示す指標８２として用いられてもよい。【０２８１】
また、付加部材８０の視認面に、このような指標が形成されてもよい。また、付加部材８０は、ブランド名、メーカー名、商品名などを表すマークやエンブレムなどの商品表示部材であってもよい。【０２８２】
さらに、図２５、図２６に示したように、付加部材８０は、観る者に美感を起こさせる装飾部材８４であってもよい。【０２８３】
このように構成することによって、絶縁部材６０に、例えば、宝石や貴石などの輝石からなる装飾部材８４を備えることによって、環状部材の美観と高級観が向上し、時計自体の美観も向上することになる。【０２８４】
また、特に、見返しリング３６の視認面の色調と異色色調の付加部材８０を指標にした場合には、このような時計の機能表示を観察者により視認し易くすることができる。【０２８５】
また、見返しリング３６と絶縁部材６０と付加部材８０の視認面が、略同一平面を形成するようにすることもできる。【０２８６】
このように構成することによって、見返しリング３６と絶縁部材６０と付加部材８０とが一体的に視認されるので、環状部材の美観と高級観が向上し、時計自体の美観も向上することになる。【０２８７】
特に、見返しリング３６の上面は風防を載置するために載置面として機能するので、見返しリング３６と絶縁部材７８と付加部材８０のそれぞれ上面３６ａ、６０ｃ、８０ａが略同一平面を形成していれば、見返しリング３６に平滑な載置面が形成されるので、風防１８を確実に載置することができる。【０２８８】
また、見返しリング３６の上面３６ａから文字板２４に向けて下方に延びる傾斜面３６ｂは、時計の機能表示を示す指標を配置する指標面として機能する。【０２８９】
従って、見返しリング３６と絶縁部材６０と付加部材８０のそれぞれ傾斜面３６ｂ、６０ａ、８０ｂが略同一平面を形成していれば、見返しリング３６に平滑な指標面が形成されるので、指標を読み取りやすくなる。さらに、指標面に指標を印刷して形成する場合、平滑な指標面に極めて容易に指標を印刷することができる。【０２９０】
特に、付加部材８０と絶縁部材６０の視認面とが略同一平面を形成するように、絶縁部材６０の凹部６０ｂ内に付加部材８０を配置することができ、見返しリング３６と絶縁部材６０と付加部材８０とが一体的に視認されるので、見返しリング３６の美観と高級観が向上し、時計自体の美観も向上することになる。【０２９１】
なお、付加部材８０を構成する材料としては、特に限定されるものではなく、見返しリング３６と同様な材料などを用いることができる。
（実施例６）
図２７は、本発明の別の実施例の無線機能付き時計１０の図１７と同様な部分拡大斜視図で、スリット３７内に絶縁部材６０、付加部材８０を装着する状態を説明する部分拡大斜視図、図２８は、図２７の無線機能付き時計１０において、スリット３７内に絶縁部材６０、付加部材８０を装着した状態を説明する部分拡大断面図である。【０２９２】
この実施例の無線機能付き時計１０は、図１または図２に示した無線機能付き時計１０と基本的には同様な構成であり、同一の構成部材には、同一の参照番号を付して、その詳細な説明を省略する。【０２９３】
この実施例の無線機能付き時計１０では、スリット３７内に一定間隔離間して配置された２つの絶縁部材６０、６０の間に、付加部材８０が配置されている。【０２９４】
このように構成することによって、付加部材８０が２つの絶縁部材６０、６０の間に確実に固定することができる。【０２９５】
また、付加部材８０と絶縁部材６０の視認面とが略同一平面を形成するように、２つの絶縁部材６０、６０の間に付加部材を配置することができ、見返しリング３６と絶縁部材６０と付加部材８０とが一体的に視認されるので、見返しリング３６の美観と高級観が向上し、時計自体の美観も向上することになる。
（実施例７）
図２９は、本発明の別の実施例の無線機能付き時計１０の図１７と同様な部分拡大斜視図である。【０２９６】
この実施例の無線機能付き時計１０は、図１または図２に示した無線機能付き時計１０と基本的には同様な構成であり、同一の構成部材には、同一の参照番号を付して、その詳細な説明を省略する。【０２９７】
この実施例の無線機能付き時計１０では、絶縁部材６０が、文字板２４上面に延出する指標部８８を備えている。【０２９８】
このように構成することによって、絶縁部材６０を、時計の機能表示を示す指標として用いられる場合、文字板２４上面に延出する指標部８８が、時計の機能表示を明確に指示することになり、時計の携帯者などの観察者が、時計の機能表示を視認しやすくなる。【０２９９】
この場合、図示しないが、図２２、図２３の実施例と同様に、絶縁部材６０が、導電性の付加部材８０を保持しており、この付加部材８０が、付加部材８０が、文字板２４上面に延出して、指標部を構成するようにすることも可能である。【０３００】
このように構成することによって、付加部材８０を、時計の機能表示を示す指標として用いられる場合、文字板２４上面に延出する指標部が、時計の機能表示を明確に指示することになり、時計の携帯者などの観察者が、時計の機能表示を視認しやすくなる。
（実施例８）
図３０は、本発明の別の実施例の無線機能付き時計１０の図１７と同様な部分拡大斜視図で、スリット３７内に絶縁部材６０、付加部材８０を装着する状態を説明する部分拡大斜視図、図３１は、図３０の無線機能付き時計１０において、スリット３７内に絶縁部材６０、付加部材８０を装着した状態を説明する部分拡大斜視図、図３２は、図３０の無線機能付き時計１０において、スリット３７内に絶縁部材６０、付加部材８０を装着した状態を説明する部分拡大断面図、図３３は、絶縁部材６０に、付加部材８０を装着する方法を説明する斜視図である。【０３０１】
この実施例の無線機能付き時計１０は、図１または図２に示した無線機能付き時計１０と基本的には同様な構成であり、同一の構成部材には、同一の参照番号を付して、その詳細な説明を省略する。【０３０２】
この実施例の無線機能付き時計１０では、図３１、図３２に示したように、付加部材８０が、環状部材である見返しリング３６と絶縁部材６０との境界９０の少なくとも一部を覆う覆い部８０ａを備えている。【０３０３】
このように構成することによって、見返しリング３６と絶縁部材６０との境界９０が、付加部材８０の覆い部８０ａで隠されて視認されなくなるので、見返しリング３６の美観と高級観がさらに向上する。【０３０４】
また、この場合、図３２、図３３に示したように、付加部材８０を絶縁部材６０に装着するために、この実施例では、付加部材８０の背面に係合凸部８０ｂが形成され、これに対応して、絶縁部材６０に係合孔部６０ｂが形成されており、係合凸部８０ｂと係合孔部６０ｂとの係合によって、付加部材８０が絶縁部材６０に取り付けられるようになっている。【０３０５】
このように構成することによって、係合凸部８０ｂと係合孔部６０ｂとの係合との係合によって、付加部材を絶縁部材にさらに確実に固定することができる。【０３０６】
なお、この場合、絶縁部材６０と付加部材８０のいずれか一方に突設された係合凸部と、他方に形成された係合孔部とを係合することによって、付加部材８０を絶縁部材６０に取り付ければよく、付加部材に８０に係合孔部を設け、絶縁部材６０に係合凸部を設けることも可能である。【０３０７】
さらに、この場合、図３３に示したように、付加部材８０の覆い部８０ａと環状部材との間に、絶縁部材６０より延出する延出部６０ｃを形成するのが望ましい。【０３０８】
このように構成することによって、見返しリング３６と絶縁部材６０との境界９０を越えて延びた、導電性の付加部材８０の覆い部８０ａが、絶縁部材６０の延出部６０ｃに妨げられて、導電性の見返しリング３６に接触しないことになる。【０３０９】
その結果、導電性である付加部材８０と見返しリング３６とが確実に絶縁されるので、見返しリング３６に渦電流が生じるのが回避され、アンテナの受信感度が向上することになる。【０３１０】
なお、この場合、図３０〜図３２の実施例では、絶縁部材６０より延出する延出部６０ｃを、付加部材８０の覆い部８０ａよりも延出距離を短く設定しているが、図３３に示したように、絶縁部材６０より延出する延出部６０ｃを、付加部材８０の覆い部８０ａよりも延出距離を略同一とすることによって、導電性の付加部材８０の覆い部８０ａが、完全に、絶縁部材６０の延出部６０ｃに妨げられて、導電性の見返しリング３６に接触しないことになり、見返しリング３６に渦電流が生じるのが回避され、アンテナの受信感度が向上することになる。
（実施例９）
図３４は、本発明の別の実施例の無線機能付き時計を示す分解斜視図、図３５は、図３４に示した無線機能付き時計を組み立てた状態での部分拡大断面図である。【０３１１】
この実施例の無線機能付き時計１０は、基本的には、図１または図２に示した実施例の無線機能付き時計１０と同じ構成であるので、同じ構成部材には、同じ参照番号を付してその詳細な説明を省略する。【０３１２】
この実施例の無線機能付き時計１０では、見返しリング３６に２つの孔３９ａ，３９ｂが形成され、これら２つの孔３９ａ，３９ｂにより、見返しリング３６にスリット３９が構成されている。そして、２つの孔３９ａ，３９ｂの離間距離は、図３６に示したように、時計ケース１４に形成した開口部３３の枠内に入る長さに設定されている。すなわち、この２つの孔３９ａ，３９ｂの離間距離は、アンテナ２６における棒状の軸芯部材の両端部２６ａ、２６ｂ間の長さを基準として、これより若干長く設定されている。【０３１３】
このように設定することによって、図３５に示したように、開口部３３とスリット３９とを合致させることができる。【０３１４】
このような構成であれば、見返しリング３６の周方向に孔３９ａ，３９ｂの開口周縁部を通って渦電流が流れるものの、その流量は少ないと考えられる。また、このような構成であれば、アンテナ２６の開放両端部２６ａ、２６ｂに対向する部分では、高さ方向に金属素材が配置されず、これにより、アンテナ２６の受信感度が向上することになる。【０３１５】
なお、図３５において、符号２１ａと２１ｂは、針軸２１に取り付けられた分針と時針を示したものである。
（第９の変形例）
第９の実施例の変形例として、見返しリング３６に形成した孔３９ａは、２つ以上あるいは１つであっても良い。さらに、第９の実施例の変形例として、時計ケース１４に形成した開口部３３に対して、見返しリング３６に形成した一つの孔３９ａのみを、上下に重ね合わせることもできる。【０３１６】
このような構成であっても受信感度を確保することができる。
（実施例１０）
図３７は、本発明の別の実施例の無線機能付き時計を示す斜視断面図である。【０３１７】
図３７に示した無線機能付き時計１０は、基本的には、図１または図２に示した実施例の無線機能付き時計１０と同じ構成であるので、同じ構成部材には、同じ参照番号を付してその詳細な説明を省略する。【０３１８】
図３７に示した無線機能付き時計１０では、絶縁部材６０を見返しリング３６に接合する接合層６１を設けている。この接合層６１としては、例えば、接着剤、粘着剤、または、両面テープなどが用いられる。なお、これら接合層６１も、非導電性の絶縁層であることが好ましい。【０３１９】
また、絶縁部材６０の視認面の色調が、見返しリング３６の視認面の色調と同色色調とすることもできる。【０３２０】
このように、絶縁部材６０の視認面の色調を、見返しリング３６の視認面の色調と同色色調となるように構成することによって、絶縁部材６０が視認されにくくなり、見返しリング３６の美観、時計自体の美観が向上することになる。【０３２１】
また、絶縁部材６０の視認面の色調を、見返しリング３６の視認面の色調と異色色調とすることもできる。【０３２２】
このように、絶縁部材６０の視認面の色調を、見返しリング３６の視認面の色調と異色色調となるように構成することによって、例えば、この絶縁部材６０に具備された何らかの情報を、例えば、時計の携帯者などの観察者に視認し易くすることができる。美観的にも好ましい。【０３２３】
この場合、『同色色調』とは、例えば、環状部材である見返しリング３６と絶縁部材６０との色調とが、共に金色と認識され得る色調の範囲内にあること、あるいは共に銀色と認識され得る色調の範囲内にあることを意味し、色調の外観上の風合いが完全に一致することに限定されない。【０３２４】
なお、見返しリング３６と絶縁部材６０の視認面の色調とは、見返しリング３６と絶縁部材６０の素材そのものの色調であっても、見返しリング３６と絶縁部材６０に被覆された被膜の色調であってもよい。【０３２５】
したがって、『異色色調』とは、このような見返しリング３６と絶縁部材６０の外面の色調が、このような同色色調以外の色調を言う。【０３２６】
さらに、絶縁部材６０を、時計の機能表示を示す指標とすることもできる。【０３２７】
このように、絶縁部材６０を、例えば、時刻表示、日付表示、曜日表示、月表示、年表示、電池の残量表示、圧力や温度などの外環境測定値の表示、アンテナの受信感度表示、アンテナにおける受信の成否の表示などの時計の機能表示を示す指標とすることによって、時計の機能表示を、例えば、時計の携帯者などの観察者に示すことができる。【０３２８】
特に、見返しリング３６の視認面の色調と異色色調の絶縁部材６０を指標にした場合には、このような時計の機能表示を観察者により視認し易くすることができる。
（実施例１１）
図３８は、本発明の別の実施例の無線機能付き時計を示す分解斜視図、図３９は、図３８の無線機能付き時計の組み立てた状態での部分断面図である。【０３２９】
この実施例の無線機能付き時計１０は、基本的には、図１または図２に示した実施例の無線機能付き時計１０と同じ構成であるので、同じ構成部材には、同じ参照番号を付してその詳細な説明を省略する。【０３３０】
図３８または図３９に示した無線機能付き時計１０には、時計ケース１４の内周部に、環状に突設された見返し受け部３２の代わりに突出部５６が形成されている。【０３３１】
さらに、この突出部５６の上面が風防受け部５７となっており、風防受け部５７の外周面に介装された固定（防水）パッキン４６によって、時計ケース１４と風防１８とが密封されるようになっている。【０３３２】
なお、図３９において、ムーブメント２０より突出して、ソーラーセル２２と文字板２４とを貫通している部材は針軸２１であり、針軸２１には、分針２１ａと時針２１ｂとが配置され、これらが文字板２４と風防１８との間に位置して時刻を表示するようになっている。【０３３３】
そして突出部５６は、アンテナ２６の上方近傍が部分的に切り欠かれており、この範囲が開口部３３となっている。なお開口部３３は、上述した図３から図６に記載の範囲と同様な範囲で設けることが好ましい。【０３３４】
このように突出部５６に開口部３３を設けることにより、受信電波が通り易くなり、さらに導電性の突出部５６とアンテナ２６とは、受信感度良好となるだけの距離が確保されることとなる。【０３３５】
このため、アンテナ２６が受信する電波が導電性の突出部５６に遮られず、アンテナ２６は開口部３３を通じて感度良く電波を受信することができる。【０３３６】
これにより、アンテナ２６の受信感度の低下が阻止されることになり、アンテナ２６の受信感度を向上させることができる。
（実施例１２）
図４０は、本発明の別の実施例の無線機能付き時計を示す部分断面図である。【０３３７】
図４０に示した無線機能付き時計１０は、基本的には、図１または図２に示した実施例の無線機能付き時計１０と同じ構成であるので、同じ構成部材には、同じ参照番号を付してその詳細な説明を省略する。【０３３８】
図４０に示した無線機能付き時計１０には、時計ケース１４の上面にベゼル７０が設けられている。なお、時計ケース１４とベゼル７０との間の防水性を確保するため、これらの部材間には防水パッキン７１が配設されている。【０３３９】
このようにベゼル７０が設けられている場合には、時計ケース１４と見返しリング３６との間以外に、ベゼル７０と見返しリング３６との間、およびベゼル７０と時計ケース１４との間についても絶縁領域５８を設けることが好ましい。【０３４０】
なお、絶縁領域５８を形成する範囲としては、例えば図４０に示したように、見返し受け部３２の段部３４の上面３４ａと見返しリング３６とベゼル７０との接合部６６、またベゼル７０と時計ケース１４との間の防水パッキン７１で封止されている箇所より内方の接合部６７とすることができる。しかしながら、このような絶縁領域５８は、他にもベゼル７０と時計ケース１４との間の防水パッキン７１で封止されている箇所より外方の接合部に形成したり、両方の接合部に形成することもでき、適宜選択することが好ましい。【０３４１】
また、図４１に示したようにベゼル７０の全面に絶縁領域５８を設けることも、図４２に示したように見返しリング３６の全面に絶縁領域５８を設けることも可能である。【０３４２】
絶縁領域５８の数や形成位置としては、特に限定されるものではなく、アンテナ２６の位置と対応する部分にのみ絶縁領域５８として絶縁被膜を形成してもよく、その範囲としては、例えば上記した見返しリング３６の絶縁領域５８と同様に図１１から図１３に示したような位置に形成することが好ましい。【０３４３】
要は、各部材間に絶縁領域５８である絶縁部材を設けることで、アンテナ２６は開口部３３を通じて感度良く電波を受信することができる。
（実施例１３）
図４３は、本発明の別の実施例の無線機能付き時計を示す部分断面図である。【０３４４】
図４３に示した無線機能付き時計１０は、基本的には、図１または図２に示した実施例の無線機能付き時計１０と同じ構成であるので、同じ構成部材には、同じ参照番号を付してその詳細な説明を省略する。【０３４５】
図４３に示した無線機能付き時計１０は、時計ケース１４の上面にベゼル７０が設けられ、さらにベゼル７０の内周側に見返しリング３６が配置されている。【０３４６】
実施例１、２、３、１２では、時計ケース１４に開口部３３を有する見返し受け部３２が設けられていたが、この実施例においては、ベゼル７０に開口部３３を有する見返し受け部３２が形成されている。【０３４７】
このような場合には、ベゼル７０と見返しリング３６との間、およびベゼル７０と時計ケース１４との間に絶縁領域５８を設けることが好ましい。【０３４８】
なお、絶縁領域５８を形成する範囲としては、例えば図２７に示したように、ベゼル７０の見返し受け部３２の段部３４の上面３４ａと見返しリング３６とベゼル７０との接合部６８、またベゼル７０と時計ケース１４との間の防水パッキン７１で封止されている箇所より外方の接合部６９とすることができる。しかしながら、このような絶縁領域５８は、他にもベゼル７０と時計ケース１４との間の防水パッキン７１で封止されている箇所より内方の接合部に形成したり、両方の接合部に形成することもでき、適宜選択することが好ましい。【０３４９】
また実施例１２と同様、図４４に示したようにベゼル７０の全面に絶縁領域５８を設けることも、図４５に示したように見返しリング３６の全面に絶縁領域５８を設けることも可能である。【０３５０】
絶縁領域５８の数や形成位置としては、特に限定されるものではなく、アンテナ２６の位置と対応する部分にのみ絶縁領域５８として絶縁被膜を形成してもよく、その範囲としては、例えば上記した見返しリング３６の絶縁領域５８と同様に図１１から図１３に示したような位置に形成することが好ましい。
（実施例１４）
図４６は、本発明の別の実施例の無線機能付き時計を示す拡大断面図である。【０３５１】
図４６に示した無線機能付き時計１０は、基本的には、図１または図２に示した実施例の無線機能付き時計１０と同じ構成であるので、同じ構成部材には、同じ参照番号を付してその詳細な説明を省略する。【０３５２】
この実施例では、無線機能付き時計１０にベゼル７０を備えた例を示している。【０３５３】
すなわち、時計ケース１４の上にベゼル７０を設け、このベゼル７０に見返しリング３６を配置していている。【０３５４】
すなわち、図４６に示した無線機能付き時計１０では、時計ケース１４の上面にベゼル７０が備えられている。そして、時計ケース１４の開口端内側にベゼル収容凹部７３が形成され、このベゼル収容凹部７３内に、ベゼル７０が収容されている。【０３５５】
そして、このベゼル７０には、その内周側に、フランジ形状の見返し受け部７６が、環状に突設されており、この見返し受け部７６の天面７２に、見返しリング３６が装着されている。また、ベゼル７０には、その内周側下端に、時計ケース１４のベゼル収容凹部７３内に嵌合する嵌合部７４が形成されている。【０３５６】
なお、図４６において、符号７１は、ベゼル７０と時計ケース１４との間を、密封状態で封止するためのパッキンである。【０３５７】
そして、ベゼル７０と時計ケース１４との間に、絶縁領域５８が形成されている。【０３５８】
このようにベゼル７０と時計ケース１４との間に、絶縁領域５８を形成することによって、導電性のベゼル７０と時計ケース１４との間で、受信感度の低下が阻止されることになり、アンテナ２６の受信感度が向上することになる。【０３５９】
この場合、ベゼル７０と時計ケース１４との間に形成される絶縁領域５８としては、前述した絶縁領域５８と同様な材料、方法で形成することができる。【０３６０】
さらに、この実施例の無線機能付き時計１０では、ベゼル７０と見返しリング３６との間に、絶縁領域５８を備えている。【０３６１】
このようにベゼル７０と見返しリング３６との間に、絶縁領域５８を備えることによって、アンテナ２６の受信感度が向上することになる。【０３６２】
この場合、ベゼル７０と時計ケース１４との間に形成される絶縁領域５８としては、前述した図８〜図１３の実施例の見返しリング３６と時計ケース１４との間に形成される絶縁領域５８と同様な材料、方法で形成することができるものであって、絶縁領域５８をベゼル７０と時計ケース１４との間に配置された絶縁部材から構成する方法、絶縁部材をベゼル７０の側に貼着する方法、絶縁部材を時計ケース１４の側に貼着する方法、絶縁領域５８をベゼル７０と時計ケース１４との間の境界面の少なくともいずれか一方に形成された絶縁被膜から構成する方法、図４７に示したように、ベゼル７０の絶縁被膜を、ベゼル７０の全面に形成する方法などを採用することができ、その詳細な説明は省略する。【０３６３】
また、この絶縁領域５８の数、形成位置としても、図示しないが、図８〜図１３の実施例の絶縁領域５８と同様に、図１１に示した実施例と同様に、絶縁領域５８を、アンテナ２６の上方近傍に配置する方法、図１２に示した実施例と同様に、絶縁領域５８を、アンテナ２６の少なくとも一方の開放端部２６ａに対向して、アンテナ２６の上方近傍に配置された絶縁領域５８から構成する方法、図１３に示した実施例と同様に、絶縁領域５８を、アンテナ２６の開放両端部２６ａ、２６ｂに対向して、アンテナ２６の上方近傍に配置された２つの絶縁領域５８から構成する方法、などを採用することができる。【０３６４】
さらに、この実施例の無線機能付き時計１０では、ベゼル７０と環状部材である見返しリング３６との間に、絶縁領域５８を備えている。【０３６５】
このようにベゼル７０と見返しリング３６との間に、絶縁領域５８を備えることによって、導電性のベゼル７０と見返しリング３６との間で、誘導電流が発生しないので、これらのベゼル７０と見返しリング３６との間に流れる渦電流に起因するアンテナ２６の受信感度の低下が阻止されることになり、アンテナ２６の受信感度が向上することになる。【０３６６】
この場合も、ベゼル７０と見返しリング３６との間に形成される絶縁領域５８としては、前述した図８〜図１３の実施例の見返しリング３６と時計ケース１４との間に形成される絶縁領域５８と同様な材料、方法で形成することができるものであって、絶縁領域５８をベゼル７０と見返しリング３６との間に配置された絶縁部材から構成する方法、絶縁部材をベゼル７０の側に貼着する方法、絶縁部材を見返しリング３６の側に貼着する方法、絶縁領域５８をベゼル７０と見返しリング３６との間の境界面の少なくともいずれか一方に形成された絶縁被膜から構成する方法、図４８に示したように、見返しリング３６の絶縁被膜を、見返しリング３６の全面に形成する方法、などを採用することができ、その詳細な説明は省略する。【０３６７】
また、この絶縁領域５８の数、形成位置としても、図示しないが、図８〜図１３の実施例の絶縁領域５８と同様に、図１１に示した実施例と同様に、絶縁領域５８を、アンテナ２６の上方近傍に配置する方法、図１２に示した実施例と同様に、絶縁領域５８を、アンテナ２６の少なくとも一方の開放端部２６ａに対向して、アンテナ２６の上方近傍に配置された絶縁領域５８から構成する方法、図１３に示した実施例と同様に、絶縁領域５８を、アンテナ２６の開放両端部２６ａ、２６ｂに対向して、アンテナ２６の上方近傍に配置された２つの絶縁領域５８から構成する方法、などを採用することができる。【０３６８】
なお、図４６〜図４８の実施例では、ベゼル７０の内周側に、フランジ形状の見返し受け部７６が、環状に突設されており、この見返し受け部７６によって形成される段部７５上に、導電性の環状部材を構成する見返しリング３６を装着したが、図示しないが、ベゼル７０に見返し受け部７６を突出させずに、時計ケース１４の内周側に見返し受け部７６を形成することも可能である。【０３６９】
この場合にも、見返しリング３６と、時計ケース１４の見返し受け部７６との間に、絶縁領域を設けることも可能である。【０３７０】
以上、本発明の実施例について説明したが、本発明は、上述した実施例に何ら限定されるものではなく、その要旨を逸脱しない範囲内において各種の変形、変更が可能である。【０３７１】
例えば、見返しリングと時計ケースとの取り付け、文字板と時計ケースとの取り付け、時計ケースと裏蓋との固定、時計ケースと風防との固定などの方法としては、各種の方法を適用できる。【０３７２】
実施例において例示した各部品の相対的な位置関係は、必要に応じて適宜に変更できる。また、部品それぞれの機能が達成されれば、部品それぞれの材質や形状は何ら限定されるものではない。【０３７３】
裏蓋と時計ケースとが一体化された単一の部品である態様も本発明に含まれる。【０３７４】
文字板は、液晶表示ユニットに置換されてもよい。液晶表示ユニットが用いられた場合、表示針は排除されてもよい。【０３７５】
本発明における無線機能付き時計の構造は、腕時計に適用された場合に上述の顕著な効果を発揮する。しかしながら、本発明における無線機能付き時計の構造は、腕時計以外に、置き時計や掛け時計にも適用され得る。【０３７６】
上述した実施例では、時刻情報を含む長波標準電波（搬送波）を受信し、その時刻情報に基づいて時刻を修正する無線機能を備えた電波時計について説明したが、本発明における無線機能付き時計の構造は、パソコン通信機能、携帯電話機能や非接触式ＩＣカード機能などの無線機能を備える時計にも適用され得る。
（試験例）
以下、本発明の無線機能付き時計を用いた試験例について説明する。＜電波時計＞
見返しリング：（材料  ＳＵＳ３１６Ｌの表面にＮｉメッキを施したもの）
時計ケース：（材料  ＳＵＳ３１６Ｌ）
裏蓋：（材料  ＳＵＳ３１６Ｌ）
絶縁領域：（絶縁部材、材料  ＰＥＴ）＜試験内容＞
上記部材を組み立てて図１または図２の構造をもつ無線機能付き時計を作製し、ハウジング内に収容されたアンテナの受信感度を測定した（試験例１）。【０３７７】
受信電波は、標準電波（４０ＫＨｚ、６０ＫＨｚ）であった。【０３７８】
比較用として、アンテナをハウジングに収容せず電波を直接受信したもの（試験例２）、見返し受け部に開口部を設けなかった以外は試験例１と同様にした無線機能付き時計（試験例３）を作製し、アンテナの受信感度を測定した。【０３７９】
受信結果によれば、見返し受け部に開口部を設けた場合の無線機能付き時計（試験例１）は、アンテナをハウジングに収容せず電波を直接受信したもの（試験例２）と同等の受信感度を得ることが確認できた。【０３８０】
このため、開口部を設けていない無線機能付き時計（試験例３）と、開口部を設けた無線機能付き時計（試験例１）とでは、明らかに開口部を設けた無線機能付き時計（試験例１）の方が、受信感度が良好であることが確認された。
【図１】
2008018583.tif 000003
【図２】
2008018583.tif 000004
【図３】
2008018583.tif 000005
【図４】
2008018583.tif 000006
【図５】
2008018583.tif 000007
【図６】
2008018583.tif 000008
【図７】
2008018583.tif 000009
【図８】
2008018583.tif 000010
【図９】
2008018583.tif 000011
【図１０】
2008018583.tif 000012
【図１１】
2008018583.tif 000013
【図１２】
2008018583.tif 000014
【図１３】
2008018583.tif 000015
【図１４】
2008018583.tif 000016
【図１５】
2008018583.tif 000017
【図１６】
2008018583.tif 000018
【図１７】
2008018583.tif 000019
【図１８】
2008018583.tif 000020
【図１９】
2008018583.tif 000021
【図２０】
2008018583.tif 000022
【図２１】
2008018583.tif 000023
【図２２】
2008018583.tif 000024
【図２３】
2008018583.tif 000025
【図２４】
2008018583.tif 000026
【図２５】
2008018583.tif 000027
【図２６】
2008018583.tif 000028
【図２７】
2008018583.tif 000029
【図２８】
2008018583.tif 000030
【図２９】
2008018583.tif 000031
【図３０】
2008018583.tif 000032
【図３１】
2008018583.tif 000033
【図３２】
2008018583.tif 000034
【図３３】
2008018583.tif 000035
【図３４】
2008018583.tif 000036
【図３５】
2008018583.tif 000037
【図３６】
2008018583.tif 000038
【図３７】
2008018583.tif 000039
【図３８】
2008018583.tif 000040
【図３９】
2008018583.tif 000041
【図４０】
2008018583.tif 000042
【図４１】
2008018583.tif 000043
【図４２】
2008018583.tif 000044
【図４３】
2008018583.tif 000045
【図４４】
2008018583.tif 000046
【図４５】
2008018583.tif 000047
【図４６】
2008018583.tif 000048
【図４７】
2008018583.tif 000049
【図４８】
2008018583.tif 000050
【図４９】
2008018583.tif 000051
【図５０】
2008018583.tif 000052
【図５１】
2008018583.tif 000053
【図５２】
2008018583.tif 000054
【図５３】
2008018583.tif 000055
【図５４】
2008018583.tif 000056
【国際調査報告】
2008018583.tif 000057
2008018583.tif 000058
2008018583.tif 000059
2008018583.tif 000060
2008018583.tif 000061
2008018583.tif 000062